(57)【要約】【課題】配線を簡単に接続し直すことができる配線接続部材、電装部品、及びホルダを提供する。【解決手段】エレクトロタップ１は、第一配線を挟み込んで保持する第一保持部２と、第二配線を挟み込んで保持する第二保持部３とに相互に分離接続可能である。第一保持部２と第二保持部３を相互に接続した場合、第一保持部２の分離接続面１５にて露出する導通プレート５０の接続面５１と、第二保持部３の分離接続面３５にて露出する導通プレート６０の接続面６１とが電気的に接続することで、第一配線と第二配線が電気的に接続される。エレクトロタップ１は、第一配線を保持する第一保持部２と、第二配線を保持する第二保持部３とを相互に分離できるので、エレクトロタップ１から第一配線と第二配線を取り外さなくても、第一配線と第二配線の接続を解除できる。【選択図】図２
2020095964.tif 000002
【特許請求の範囲】
【請求項１】
複数の配線を挟み込んで保持し、前記複数の配線の夫々を挟み込むときの力で前記複数の配線を夫々締め付け、前記配線の被覆内の導線と夫々接触する複数の締め付け部が電気的に接続することで、前記複数の配線を電気的に接続する配線接続部材であって、
前記複数の配線のうち第一配線を挟み込んで保持する第一保持部と、第二配線を挟み込んで保持する第二保持部とに相互に分離接続可能であり、前記第一保持部と前記第二保持部を相互に接続したときに、前記複数の締め付け部のうち前記第一保持部に設けられ、前記第一配線を締め付ける第一締め付け部と、前記第二保持部に設けられ、前記第二配線を締め付ける第二締め付け部とが電気的に接続することで、前記第一配線と前記第二配線を電気的に接続することを特徴とする配線接続部材。
【請求項２】
前記第一保持部及び前記第二保持部は、
前記第一配線及び前記第二配線を互いに平行になるように夫々を挟み込んで保持すると共に、前記第一配線及び前記第二配線に対して交差するように設けられた導電性部材を備え、
前記第一締め付け部及び前記第二締め付け部は、前記導電性部材に設けられ、
前記導電性部材は、前記第一締め付け部と前記第二締め付け部との間で分離可能であること
を特徴とする請求項１に記載の配線接続部材。
【請求項３】
前記導電性部材は、
前記第一締め付け部が設けられた第一導電部と、前記第二締め付け部が設けられた第二導電部とに分離可能であって、
前記第一保持部と前記第二保持部が相互に接続された状態では、前記第一導電部と前記第二導電部とが直接接触、又は他の導電性部材を介して接触すること
を特徴とする請求項２に記載の配線接続部材。
【請求項４】
前記第一導電部と前記第二導電部は、
前記第一保持部及び前記第二保持部の相互に分離し且つ対向接触する夫々の分離面において、直接接触、又は他の導電性部材を介して接触すること
を特徴とする請求項３に記載の配線接続部材。
【請求項５】
前記第一保持部及び前記第二保持部の相互に分離し且つ対向接触する夫々の分離面において、
一方の分離面には、他方の分離面に向けて突出する凸部が設けられ、
前記他方の分離面には、前記一方の分離面とは反対側に窪み、前記凸部が着脱可能に挿入固定される凹部が設けられていること
を特徴とする請求項１から４の何れかに記載の配線接続部材。
【請求項６】
前記第一保持部及び前記第二保持部の相互に分離し且つ対向接触する夫々の分離面において、
一方の分離面には、フック形状の第一フック部が設けられ、
他方の分離面には、前記第一フック部に係合可能なフック形状の第二フック部が設けられていること
を特徴とする請求項１から４の何れかに記載の配線接続部材。
【請求項７】
前記第一保持部には、前記第二保持部と相互に分離接続し、且つ対向接触する第一分離面が設けられ、
前記第二保持部には、前記第一保持部と相互に分離接続し、且つ対向接触する第二分離面が設けられ、
前記第一分離面には、
前記第二分離面に向かって突出する第一凸部と、
前記第二分離面とは反対側に向かって窪んだ第一凹部と
が設けられ、
前記第二分離面には、
前記第一凹部と対向する位置に設けられ、前記第一分離面に向かって突出し、前記第一凹部に着脱可能に挿入固定される第二凸部と、
前記第一凸部と対向する位置に設けられ、前記第一分離面とは反対側に向かって窪み、前記第一凸部が着脱可能に挿入固定される第二凹部と
が設けられ、
前記第一凸部と前記第二凸部、前記第一凹部と前記第二凹部は、夫々互いに同一形状であること
を特徴とする請求項１から４の何れかに記載の配線接続部材。
【請求項８】
前記第一締め付け部は、
前記第一配線に対応する位置に設けられ、前記第一配線の径よりも小さい幅で離間する第一溝を備え、
前記第二締め付け部は、
前記第二配線に対応する位置に設けられ、前記第二配線の径よりも小さい幅で離間する第二溝を備えること
を特徴とする請求項１から７の何れかに記載の配線接続部材。
【請求項９】
前記第一保持部は、
前記第一配線が配置される第一ベース部と、
前記第一ベース部の一端部に対して蝶番状に折り曲げ可能に連結され、前記第一ベース部の前記第一配線が配置される第一受け面に重ねられて係合する第一蓋部と
を備え、
前記第二保持部は、
前記第二配線が配置され、前記第一ベース部の前記一端部とは反対側の他端部と着脱可能に接続する第二ベース部と、
前記第二ベース部の前記第一ベース部と接続する一端部とは反対側の他端部に対して蝶番状に折り曲げ可能に連結され、前記第二ベース部の前記第二配線が配置される第二受け面に重ねられて係合する第二蓋部と
を備え、
前記第一締め付け部は、前記第一受け面に設けられ、
前記第二締め付け部は、前記第二受け面に設けられていること
を特徴とする請求項１から８の何れかに記載の配線接続部材。
【請求項１０】
前記第一保持部及び前記第二保持部のうち、前記第一締め付け部及び第二締め付け部が設けられる部分の厚みが最も大きいこと
を特徴とする請求項１から９の何れかに記載の配線接続部材。
【請求項１１】
前記第一保持部と前記第二保持部を一体的に保持する保持手段を備えたこと
を特徴とする請求項１から１０の何れかに記載の配線接続部材。
【請求項１２】
前記保持手段は、
前記第一保持部と前記第二保持部のうち、少なくとも前記第一保持部と前記第二保持部とが接続する部分を外側から覆って保持するカバー部材を備えたこと
を特徴とする請求項１１に記載の配線接続部材。
【請求項１３】
前記カバー部材は、
可撓性を有する材質で断面略Ｕ字状に形成され、前記第一保持部と前記第二保持部とを内側に保持すること
を特徴とする請求項１２に記載の配線接続部材。
【請求項１４】
前記カバー部材は、
底壁部と、
当該底壁部の両端部に夫々立設する第一側壁部及び第二側壁部と
を備え、
前記第一側壁部の内面は、前記第一保持部の前記第二保持部と分離接続する側とは反対側の外側部と当接し、
前記第二側壁部の内面は、前記第二保持部の前記第一保持部と分離接続する側とは反対側の外側部と当接すること
を特徴とする請求項１２又は１３に記載の配線接続部材。
【請求項１５】
前記第一配線及び前記第二配線は、
一本の車両配線を一箇所で切断したときに形成される二本の前記車両配線の夫々に、外部製品に接続された二本の製品配線を夫々接続するときの互いに接続する一本の前記車両配線と一本の前記製品配線であること
を特徴とする請求項１から１４の何れかに記載の配線接続部材。
【請求項１６】
前記第一保持部には、前記第一配線が配置される第一配線用溝が設けられ、
前記第二保持部には、前記第二配線が配置される第二配線用溝が設けられ、
前記第一締め付け部は、前記第一配線用溝に配置され、
前記第二締め付け部は、前記第二配線用溝に配置され、
前記第一配線用溝及び第二配線用溝の少なくとも何れかの内面であって、前記第一締め付け部又は前記第二締め付け部を除く位置には、該内面から突出する突起部が設けられていること
を特徴とする請求項１から１５の何れかに記載の配線接続部材。
【請求項１７】
請求項１から１６の何れかに記載の配線接続部材の前記第一保持部と前記第二保持部の間に接続可能な電装部品であって、
ヒューズを備えたこと
を特徴とする電装部品。
【請求項１８】
請求項１から１６の何れかに記載の配線接続部材の前記第一保持部と前記第二保持部の間に接続可能な電装部品であって、
ダイオードを備えたこと
を特徴とする電装部品。
【請求項１９】
請求項１５に記載の配線接続部材の前記第一保持部と前記第二保持部の間に接続可能な電装部品であって、
前記外部製品は、自動車の車両ドアの開閉を検出するカーテシ装置であって、
前記車両配線は、自動車のＥＣＵに接続され、前記カーテシ装置を接続する為の一本のカーテシ配線であって、
前記製品配線は、前記カーテシ装置から延びる一本の製品配線であって、
前記製品配線側から前記カーテシ配線側に電流を流すダイオードを備えたこと
を特徴とする電装部品。
【請求項２０】
請求項１から１６の何れかに記載の配線接続部材の前記第一保持部と前記第二保持部の間に接続可能なホルダであって、
前記ホルダには、ヒューズ又はダイオードが着脱可能に装着されること
を特徴とするホルダ。
【請求項２１】
前記ヒューズは規格化されたヒューズであって、前記ダイオードは、前記ヒューズの規格に合わせた形状を備え、
前記ホルダには、前記ヒューズ及び前記ダイオードが交換可能に装着されること
を特徴とする請求項２０に記載のホルダ。
【発明の詳細な説明】
【技術分野】
【０００１】
本発明は、配線接続部材、電装部品、及びホルダに関する。
【背景技術】
【０００２】
配線をカットして外部製品をバイパスさせ、配線に戻すという接続をする場合に、エレクトロタップが一般的に用いられている（例えば、特許文献１参照）。
【先行技術文献】
【特許文献】
【０００３】
【特許文献１】実公平３−５２２１７号公報
【発明の概要】
【発明が解決しようとする課題】
【０００４】
エレクトロタップでバイパスさせた外部製品を外す、又は接続を間違えた等によって、カットした配線を元に戻したい場合がある。その場合、エレクトロタップから配線を外し、配線をハンダ等で付け直す、又はギボシ端子を作って接続し直す等の作業が必要であり、手間であった。また、エレクトロタップから配線を外すには、閉じたエレクトロタップを工具等でこじ開ける必要があることから、作業が困難であった。さらに、エレクトロタップを工具等でこじ開ける際に、力を入れ過ぎて配線に工具等を引っ掛けてしまい、配線を誤って切断してしまう虞もあった。また、車内での作業は、運転席や助手席の足元に潜り込んで手探りの状態で、作業を行う場合があることから、ハンダ付けやギボシ加工が困難であった。
【０００５】
本発明の目的は、配線を簡単に接続し直すことができる配線接続部材、電装部品、及びホルダを提供することである。
【課題を解決するための手段】
【０００６】
（１）本発明の第一態様に係る配線接続部材は、複数の配線を挟み込んで保持し、前記複数の配線の夫々を挟み込むときの力で前記複数の配線を夫々締め付け、前記配線の被覆内の導線と夫々接触する複数の締め付け部が電気的に接続することで、前記複数の配線を電気的に接続する配線接続部材であって、前記複数の配線のうち第一配線を挟み込んで保持する第一保持部と、第二配線を挟み込んで保持する第二保持部とに相互に分離接続可能であり、前記第一保持部と前記第二保持部を相互に接続したときに、前記複数の締め付け部のうち前記第一保持部に設けられ、前記第一配線を締め付ける第一締め付け部と、前記第二保持部に設けられ、前記第二配線を締め付ける第二締め付け部とが電気的に接続することで、前記第一配線と前記第二配線を電気的に接続することを特徴とする。
【０００７】
第一態様によれば、複数の配線を夫々締め付けて、被覆内の導線と夫々接触する複数の締め付け部が電気的に互いに接続することによって、複数の配線が電気的に接続される。このような配線接続部材を用いて、第一配線と第二配線を接続した後で、誤接続等を理由に、第一配線と第二配線の接続を再度切り離すことがある。一般的な周知の配線接続部材では、第一配線及び第二配線を配線接続部材から取り外していたが、配線接続部材による第一配線及び第二配線の夫々の保持を解除する為に、配線接続部材を工具でこじ開ける等の力のいる作業が必要であった。また、取り外し作業中に、力の入れ具合を間違うと、配線を引っ張ってしまい、切断してしまう虞もあった。そこで、本発明の配線接続部材は、第一配線を保持する第一保持部と、第二配線を保持する第二保持部とを相互に分離できるので、配線接続部材から第一配線及び第二配線を取り外す必要が無い。それ故、狭い場所で潜りながらの作業の容易化、特に車室の暗い所での作業の容易化、さらには手探りでの作業を可能にできる。そして、分離後の第一保持部と第二保持部を再接続することで、第一締め付け部と第二締め付け部が電気的に接続するので、第一配線と第二配線を電気的に再接続できる。よって、第一保持部は第一配線に繋がれた端子として、第二保持部は第二配線に繋がれた端子として機能させることができる。よって、配線をハンダで付け直したり、ギボシを作って再接続する等、工具を使っての面倒で余計な作業を不要にできる。
【０００８】
（２）また第一態様において、前記第一保持部及び前記第二保持部は、前記第一配線及び前記第二配線を互いに平行になるように夫々を挟み込んで保持すると共に、前記第一配線及び前記第二配線に対して交差するように設けられた導電性部材を備え、前記第一締め付け部及び前記第二締め付け部は、前記導電性部材に設けられ、前記導電性部材は、前記第一締め付け部と前記第二締め付け部との間で分離可能としてもよい。導電性部材は、互いに平行に延びる第一配線及び第二配線に対して交差するように設けられているので、そのような導電性部材に設けられた第一締め付け部及び第二締め付け部は、第一配線及び第二配線の被覆が破られた状態で夫々の導線と接触できる。導電性部材は、第一締め付け部と第二締め付け部との間で分離可能であるので、第一保持部と第二保持部を分離したときに、導電性部材のうち第一締め付け部が設けられた部分を第一保持部側に、第二締め付け部が設けられた部分を第二保持部側に、夫々配置できる。
【０００９】
（３）また第一態様において、前記導電性部材は、前記第一締め付け部が設けられた第一導電部と、前記第二締め付け部が設けられた第二導電部とに分離可能であって、前記第一保持部と前記第二保持部が相互に接続された状態では、前記第一導電部と前記第二導電部とが直接接触、又は他の導電性部材を介して接触するようにしてもよい。これにより、第一保持部と第二保持部を相互に再接続した状態では、第一導電部と第二導電部とが直接接触、又は他の導電性部材を介して接触するので、第一配線と第二配線を接続し直すことができる。
【００１０】
（４）また第一態様において、前記第一導電部と前記第二導電部は、前記第一保持部及び前記第二保持部の相互に分離し且つ対向接触する夫々の分離面において、直接接触、又は他の導電性部材を介して接触するようにしてもよい。これにより、第一導電部と第二導電部を確実且つ強固に接触させることができるので、第一配線と第二配線の接続不良を防止できる。
【００１１】
（５）また第一態様において、前記第一保持部及び前記第二保持部の相互に分離し且つ対向接触する夫々の分離面において、一方の分離面には、他方の分離面に向けて突出する凸部が設けられ、前記他方の分離面には、前記一方の分離面とは反対側に窪み、前記凸部が着脱可能に挿入固定される凹部が設けられていてもよい。一方の分離面に設けられた凸部を、他方の分離面に設けられた凹部に挿入固定できるので、第一保持部及び第二保持部を容易に分離接続できる。
【００１２】
（６）また第一態様において、前記第一保持部及び前記第二保持部の相互に分離し且つ対向接触する夫々の分離面において、一方の分離面には、フック形状の第一フック部が設けられ、他方の分離面には、前記第一フック部に係合可能なフック形状の第二フック部が設けられていてもよい。一方の分離面に設けられた第一フック部を、他方の分離面に設けられた第二フック部に係合できるので、第一保持部及び第二保持部を容易に分離接続できる。
【００１３】
（７）また第一態様において、前記第一保持部には、前記第二保持部と相互に分離接続し、且つ対向接触する第一分離面が設けられ、前記第二保持部には、前記第一保持部と相互に分離接続し、且つ対向接触する第二分離面が設けられ、前記第一分離面には、前記第二分離面に向かって突出する第一凸部と、前記第二分離面とは反対側に向かって窪んだ第一凹部とが設けられ、前記第二分離面には、前記第一凹部と対向する位置に設けられ、前記第一分離面に向かって突出し、前記第一凹部に着脱可能に挿入固定される第二凸部と、前記第一凸部と対向する位置に設けられ、前記第一分離面とは反対側に向かって窪み、前記第一凸部が着脱可能に挿入固定される第二凹部とが設けられ、前記第一凸部と前記第二凸部、前記第一凹部と前記第二凹部は、夫々互いに同一形状であってもよい。配線接続部材を第一保持部と第二保持部に分離した後で、その第一保持部に保持された第一配線と、他の配線接続部材を分離して出来た他の第一保持部に保持された第一配線とを接続したい場合がある。ここで、第一凸部と第二凸部、第一凹部と第二凹部は、夫々互いに同一形状である。よって、一方の第一保持部の第一分離面に対して、他方の第一保持部の第一分離面の上下をひっくり返し、一方の第一分離面に設けられた第一凸部と、他方の第一分離面に設けられた第一凹部とを対向させて挿入固定し、一方の第一分離面に設けられた第一凹部と、他方の第一分離面に設けられた第一凸部とを対向させて挿入固定することができる。これにより、第一保持部は、第二保持部に加え、他の第一保持部との接続も可能となるので、配線接続のバリエーションを広げることができる。
【００１４】
なお、第一分離面には、第一締め付け部と電気的に接続する第一導電部を設け、第二分離面には、第二締め付け部と電気的に接続する第二導電部を設け、それらが互いに接触することで、第一締め付け部と第二締め付け部とが電気的に接続するようにしてもよい。さらに、第一分離面において、第一導電部を中央に挟むようにして、第一凸部と第一凹部を夫々配置し、第二分離面においても、第二導電部を中央に挟むようにして、第二凸部と第二凹部を夫々配置してもよい。この場合、第一分離面及び第二分離面において、第一導電部と第二導電部とが接触する部分の両側で、第一保持部と第二保持部を固定できるので、第一導電部と第二導電部の互いの位置関係がずれるのを防止できる。これにより、第一配線と第二配線の接触不良を防止できる。
【００１５】
（８）また第一態様において、前記第一締め付け部は、前記第一配線に対応する位置に設けられ、前記第一配線の径よりも小さい幅で離間する第一溝を備え、前記第二締め付け部は、前記第二配線に対応する位置に設けられ、前記第二配線の径よりも小さい幅で離間する第二溝を備えるようにしてもよい。第一溝に対して、第一配線が嵌入することによって第一配線の被覆が破られ、該被覆内の導線と第一締め付け部とが接触する。それ故、第一溝の縁部に対して被覆の切断面が当接して係止した状態となるので、第一配線は延設方向に引っ張られた場合でも、第一溝から抜け難い。他方、第二溝に対して、第二配線が嵌入することによって第二配線の被覆が破られ、該被覆内の導線と第二締め付け部とが接触する。それ故、第二溝の縁部に対して被覆の切断面が当接して係止した状態となるので、第二配線は延設方向に引っ張られた場合でも、第二溝から抜け難い。よって、配線接続部材から第一配線及び第二配線が外れてしまうのを防止できる。
【００１６】
（９）また第一態様において、前記第一保持部は、前記第一配線が配置される第一ベース部と、前記第一ベース部の一端部に対して蝶番状に折り曲げ可能に連結され、前記第一ベース部の前記第一配線が配置される第一受け面に重ねられて係合する第一蓋部とを備え、前記第二保持部は、前記第二配線が配置され、前記第一ベース部の前記一端部とは反対側の他端部と着脱可能に接続する第二ベース部と、前記第二ベース部の前記第一ベース部と接続する一端部とは反対側の他端部に対して蝶番状に折り曲げ可能に連結され、前記第二ベース部の前記第二配線が配置される第二受け面に重ねられて係合する第二蓋部とを備え、前記第一締め付け部は、前記第一受け面に設けられ、前記第二締め付け部は、前記第二受け面に設けられていてもよい。第一保持部は、第一ベース部の第一受け面に設けられた第一締め付け部に第一配線を配置した状態で、第一蓋部を第一受け面に対して重ねて係合させるので、第一配線を第一締め付け部に押し付けることができる。即ち、第一ベースの第一受け面を、第一蓋部で覆うときの力を利用して、第一配線を第一締め付け部に押し付けることができるので、第一蓋部を第一受け面に重ねて係合させる一動作のみで、第一配線を第一締め付け部に押し付けて固定できる。よって、第一配線を第一保持部に保持させる作業を簡単に行うことができる。さらに、第一締め付け部の周囲を第一蓋部で保護できるので、外部衝撃によって第一締め付け部から第一配線が外れるのを防止できる。なお、第二保持部においても同様である。
【００１７】
（１０）また第一態様において、前記第一保持部及び前記第二保持部のうち、前記第一締め付け部及び第二締め付け部が設けられる部分の厚みが最も大きくなるようにしてもよい。第一締め付け部に第一配線を配置した状態で、第一締め付け部が設けられる部分をペンチ等の工具で挟み込み、第一締め付け部に対して第一配線を押し込んで締め付けることがある。本態様の第一保持部及び第二保持部は、第一締め付け部及び第二締め付け部が設けられる部分の厚みが最も大きいので、第一配線及び第二配線を固定する部分の剛性を向上できる。これにより、ペンチ等の工具で挟められる部分の耐久性を向上できる。
【００１８】
（１１）また第一態様において、前記第一保持部と前記第二保持部を一体的に保持する保持手段を備えてもよい。保持手段を用いて第一保持部と第二保持部を一体的に保持できるので、第一保持部と第二保持部の接続部分にひねり等の力が加わっても外れにくくすることができる。
【００１９】
（１２）また第一態様において、前記保持手段は、前記第一保持部と前記第二保持部のうち、少なくとも前記第一保持部と前記第二保持部とが接続する部分を外側から覆って保持するカバー部材を備えてもよい。カバー部材は、少なくとも第一保持部と第二保持部とが接続する部分を外側から覆って保持するので、外部衝撃から保護できる。
【００２０】
（１３）また第一態様において、前記カバー部材は、断面略Ｕ字状に形成され、前記第一保持部と前記第二保持部とを内側に保持するようにしてもよい。カバー部材は、可撓性を有する材質で断面略Ｕ字状に形成されているので、第一保持部及び第二保持部に第一配線及び第二配線を夫々保持させた状態であっても、第一配線及び第二配線を避けながらカバー部材を容易に取り付けることができる。また、カバー部材は可撓性を有する材質で形成されているので、カバー部材の内側を押し拡げながら、第一保持部及び第二保持部の外側を覆うようにして取り付けることができる。
【００２１】
（１４）また第一態様において、前記カバー部材は、底壁部と、当該底壁部の両端部に夫々立設する第一側壁部及び第二側壁部とを備え、前記第一側壁部の内面は、前記第一保持部の前記第二保持部と分離接続する側とは反対側の外側部と当接し、前記第二側壁部の内面は、前記第二保持部の前記第一保持部と分離接続する側とは反対側の外側部と当接するようにしてもよい。これにより、カバー部材は、第一保持部及び第二保持部を一体的に強固に保持できる。また、カバー部材は、第一保持部の分離接続する側と、第二保持部の分離接続する側とを互いに押し付けるように、第一保持部と第二保持部を保持できるので、第一保持部と第二保持部とが分離してしまうのを防止できる。
【００２２】
（１５）また第一態様において、前記第一配線及び前記第二配線は、一本の車両配線を一箇所で切断したときに形成される二本の前記車両配線の夫々に、外部製品に接続された二本の製品配線を夫々接続するときの互いに接続する一本の前記車両配線と一本の前記製品配線であってもよい。配線接続部材は、一本の車両配線をカットしたときに形成される二本の車両配線に対して、外部製品に接続する二本の製品配線を夫々接続する場合にも使用できる。接続した外部製品を車両配線から取り外す、又は接続を間違えた等で、カットした車両配線を元に戻したい場合がある。この場合、配線接続部材から配線を外し、配線をハンダ等で付け直す、又はギボシ端子を作って接続し直す等の作業を行うことが考えられる。しかしながら、エレクトロタップから配線を外すには、閉じたエレクトロタップを工具等でこじ開ける必要があることから作業が困難である。また、狭い場所での作業は困難を極め、特に車内では、運転席や助手席の足元に潜り込んで暗い場所での手探りで作業を行う場合もあるが、潜り込んだ状態での作業では、仰向けになる等の不安定な姿勢を維持することになるので、ハンダ付けやギボシ加工等の作業が不可能となる場面も想定される。このような場合、本態様の配線接続部材では、第一保持部と第二保持部に分離することで、車両配線が接続された第一保持部と、製品配線が接続された第二保持部とに分けることができる。これら第一保持部及び第二保持部は端子として機能させることができるので、他の第一保持部又は第二保持部と接続させることができ、配線接続を自由に変えることができる。よって、ハンダ付けやギボシ加工等の煩わしい作業を不要にできる。
【００２３】
（１６）また第一態様において、前記第一保持部には、前記第一配線が配置される第一配線用溝が設けられ、前記第二保持部には、前記第二配線が配置される第二配線用溝が設けられ、前記第一締め付け部は、前記第一配線用溝に配置され、前記第二締め付け部は、前記第二配線用溝に配置され、前記第一配線用溝及び第二配線用溝の少なくとも何れかの内面であって、前記第一締め付け部又は前記第二締め付け部を除く位置には、該内面から突出する突起部が設けられていてもよい。第一配線と第二配線を接続する為に、第一配線を第一配線用溝に配置するときに、第一配線の端部を突起部に引っ掛けることができるので、第一配線を第一保持部の内側にはみ出すことなく保持できる。これにより、第一配線が外側にはみだしてショートするのを防止できる。第二配線においても同様である。
【００２４】
（１７）本発明の第二態様に係る電装部品は、第一態様に記載の配線接続部材の前記第一保持部と前記第二保持部の間に接続可能な電装部品であって、ヒューズを備えたことを特徴とする。
【００２５】
第二態様によれば、第一保持部と第二保持部の間にヒューズを接続することで、ヒューズ入りの配線接続部材を提供できる。第一保持部と第二保持部の間にヒューズを配置できるので、第一配線と第二配線の間に定格以上の電流が流れないようにできる。また、ヒューズを第一配線と第二配線を接続する第一保持部と第二保持部の間に配置できるので、仮にショートしたときには、第一配線又は第二配線に定格以上の電流が流れるのを防止できる。また、ショートしたときには、電装部品を交換するだけでよいので、新たなヒューズを接続する為に新たな配線を付ける等の面倒な作業を不要にできる。また、一つのヒューズ入りの配線接続部材として扱うことができるので、ヒューズを接続する為の余分な配線等が無くなるので、部品点数を削減できる。また、電装部品を第一保持部と第二保持部の間に接続するだけでよいので、一方の配線に対してヒューズを接続する為の新たな配線を付ける等の面倒な作業を不要にできる。
【００２６】
（１８）本発明の第三態様に係る電装部品は、第一態様に記載の配線接続部材の前記第一保持部と前記第二保持部の間に接続可能な電装部品であって、ダイオードを備えたことを特徴とする。
【００２７】
第三態様によれば、第一保持部と第二保持部の間にダイオードを挟み込むことができるので、ダイオード入りの配線接続部材を提供できる。第一保持部と第二保持部の間にダイオードを配置できるので、第一配線と第二配線の間に流れる電流の向きを制限できる。
【００２８】
（１９）本発明の第四態様に係る電装部品は、第一態様に記載の配線接続部材の前記第一保持部と前記第二保持部の間に接続可能な電装部品であって、前記外部製品は、自動車の車両ドアの開閉を検出するカーテシ装置であって、前記車両配線は、自動車のＥＣＵに接続され、前記カーテシ装置を接続する為の一本のカーテシ配線であって、前記製品配線は、前記カーテシ装置から延びる一本の製品配線であって、前記製品配線側から前記カーテシ配線側に電流を流すダイオードを備えたことを特徴とする。
【００２９】
第四態様によれば、車両ＥＣＵ等に接続されるカーテシ配線が一本であって、その一本から分岐させて四枚の各車両ドアに取り付けたカーテシ装置の製品配線を接続する為に、夫々のドアにおいてカーテシ配線と製品配線との間に、製品配線側からカーテシ配線側に電流を流すダイオードを配置できる。これにより、四枚の各車両ドアに設けられた各カーテシ装置が互いに電気的に繋がらないように対処できる。これにより、車両ＥＣＵ側では、どの車両ドアが開いているかを認識できる。
【００３０】
（２０）本発明の第五態様に係るホルダは、第一態様に記載の配線接続部材の前記第一保持部と前記第二保持部の間に接続可能なホルダであって、前記ホルダには、ヒューズ又はダイオードが着脱可能に装着されることを特徴とする。
【００３１】
第五態様によれば、ホルダには、ヒューズやホルダを装着できるので、用途に合わせてヒューズ又はダイオードを装着できる。
【００３２】
（２１）また第五態様において、前記ヒューズは規格化されたヒューズであって、前記ダイオードは、前記ヒューズの規格に合わせた形状を備え、前記ホルダには、前記ヒューズ及び前記ダイオードが交換可能に装着されるようにしてもよい。ダイオードはヒューズの規格に合わせた形状を備えるので、ヒューズの代わりにダイオードをホルダに対して交換可能に装着できる。
【００３３】
なお、上記第一態様の（１）〜（１６）の一部の構成を任意に組み合わせてもよい。
【図面の簡単な説明】
【００３４】
【図１】エレクトロタップ１の斜視図である。
【図２】エレクトロタップ１を分割した状態の斜視図である。
【図３】エレクトロタップ１の平面図である。
【図４】エレクトロタップ１の底面図である。
【図５】エレクトロタップ１の正面図である。
【図６】エレクトロタップ１の正面図（第一保持部２を９０°折り曲げた状態）であ    る。
【図７】閉じた状態のエレクトロタップ１の正面図である。
【図８】閉じた状態のエレクトロタップ１の斜視図である。
【図９】図８に示すエレクトロタップ１に、保護カバー７０を取り付けた状態の斜視    図である。
【図１０】図９に示すエレクトロタップ１の正面図である。
【図１１】配線Ａ１とＣ１を接続するエレクトロタップ１を、第一保持部２と第二保    持部３に分離した状態の概念図である。
【図１２】配線Ａ２とＣ２をエレクトロタップ１で接続した状態の概念図である。
【図１３】車両配線Ａ３を切断して得られる車両配線Ａ４とＡ５に対し、製品配線Ｃ    ４とＣ５を接続することを示す概念図である。
【図１４】エレクトロタップ１５０，２５０を用いて、車両配線Ａ４とＡ５に対し、    製品配線Ｃ４とＣ５を接続した状態の概念図である。
【図１５】図１４に示すエレクトロタップ１５０，２５０を分離した状態の概念図で    ある。
【図１６】図１５に示す第一保持部１５２と第一保持部２５２を接続することで、車    両配線Ａ４とＡ５を再接続した状態の概念図である。
【図１７】配線Ａ６とＣ６を接続するエレクトロタップ１を分離し、第一保持部２と    第二保持部３の間に電装部品（ヒューズ）５００を装着したホルダ４００を接続した    状態の概念図である。
【図１８】配線Ａ６とＣ６を接続するエレクトロタップ１を分離し、第一保持部２と    第二保持部３の間に電装部品（ダイオード）５００を装着したホルダ４００を接続し    た状態の概念図である。
【図１９】ホルダ４００の平面図である。
【図２０】配線Ａ６とＣ６を接続するエレクトロタップ１を分離し、第一保持部２と    第二保持部３の間に電装部品５００を装着したホルダ４００を接続した状態の平面図    である。
【図２１】第一変形例であるエレクトロタップ１０１の斜視図である。
【図２２】第二変形例であるエレクトロタップ１０２の斜視図である。
【図２３】第三変形例であるエレクトロタップ２００の斜視図である。
【図２４】第四変形例であるエレクトロタップ３００の斜視図である。
【図２５】第五変形例であるエレクトロタップ６０１の斜視図である。
【図２６】第六変形例であるエレクトロタップ６０２の斜視図である。
【図２７】第七変形例であるエレクトロタップ７００の斜視図である。
【図２８】第八変形例であるエレクトロタップ８００の斜視図である。
【発明を実施するための形態】
【００３５】
以下、本発明の一実施形態について、図面を参照して説明する。これらの図面は、本発明が採用しうる技術的特徴を説明するために用いられるものである。記載されている物品の構成等は、それのみに限定する趣旨ではなく、単なる説明例である。以下説明では、説明の便宜上、図中の矢印で示す左右、前後、上下を用いるが、必ずしもエレクトロタップ１の方向を一義的に定義するものではない。
【００３６】
図１，図２を参照し、エレクトロタップ１の構造を説明する。図１は、未使用状態のエレクトロタップ１を図示する。エレクトロタップ１は、例えば、図１１（１）に示すように、配線Ａ１に別の配線Ｃ１を接続できる「配線接続部材」であり、未使用状態では、平面視左右方向に長い略矩形状に形成されている。材質は何でもよいが、絶縁材が好ましく、例えばプラスチック等の合成樹脂で形成される。エレクトロタップ１は、配線Ａ１とＣ１を夫々内側に挟み込んで保持する第一保持部２と第二保持部３を左右両側に備える。第一保持部２と第二保持部３は、互いに左右略対象形状であり、互いに分離又は接続できる（図２，図１１（１）と（２）参照）。
【００３７】
図２〜図５を参照し、第一保持部２の構造を説明する。図２は、エレクトロタップ１を、第一保持部２と第二保持部３に分離した状態を示している。第一保持部２は、第一ベース部５、第一蓋部６、一対の連結部２７，２８、導通プレート５０等を備える。
【００３８】
−第一ベース部５の構造の説明−
第一ベース部５は、平面視前後方向に長い略矩形状の板体である。第一ベース部５は、前後方向において前側から順に、前側部２１１、中央部２１２、後側部２１３を備える。第一ベース部５の上面は、略水平に延びる平面である。第一ベース部５の下面は、中央部２１２では略水平に延びる平面であり、前側部２１１及び後側部２１３においては、前方及び後方に向かうに従って斜め上方に夫々傾斜している。即ち、中央部２１２は側面視略長方形状に形成され、前側部２１１は前方に向かって下面側が斜め上方に傾斜する側面視略三角形状に形成され、後側部２１３は後方に向かって下面側は斜め上方に傾斜する側面視略三角形状に形成されている。それ故、第一ベース部５の上下方向の厚みは、中央部２１２において最も厚くなっている。
【００３９】
第一ベース部５の上面における左右方向の中心線に沿って、半円状の溝１１が設けられている。溝１１のサイズは、保持させる配線Ａ１（図３参照）のうち径方向の略半分が配置可能な程度であればよい。第一ベース部５の上面における溝１１の右側には、平面状の外側上面部１２が設けられている。第一ベース部５の上面における溝１１の左側には、平面状の内側上面部１３が設けられている。
【００４０】
内側上面部１３であって、中央部２１２に該当する部分には、側面視略矩形板状の支持壁１８が立設されている。支持壁１８の左側面の下側には、円錐部１９（図３，図５参照）が設けられている。円錐部１９は、上方に向かうに従って縮径する円錐体を軸方向に沿って半分に切断した形状である。溝１１の内側であって中央部２１２に該当する部分には、左右方向に延びるプレート用溝１１Ａが設けられている。プレート用溝１１Ａの左端部は、支持壁１８の右側面の上端部まで延びる。プレート用溝１１Ａの右端部は、外側上面部１２まで延びる。プレート用溝１１Ａには、後述する導通プレート５０が上方から差し込まれて固定されている。
【００４１】
第一ベース部５の右側面には、分離接続面１５が設けられている。分離接続面１５は上下方向に平行で、且つ右側面視前後方向に長い略矩形状に形成されている。分離接続面１５は、後述する第二保持部３の第二ベース部７の分離接続面３５と相対し、分離又は接続する面である。分離接続面１５の中央部２１２に該当する部分には、プレート用溝１１Ａの右端部が貫通することによって、上方が開口する例えば略Ｕ字状の溝が形成されている。その溝の内側には、導通プレート５０の右端側の端面である接続面５１が配置されている。接続面５１は、後述する導通プレート６０の左端側の端面である接続面６１と接触して導通する。
【００４２】
さらに、分離接続面１５には、凸部１６と凹部１７が設けられている。凸部１６は、分離接続面１５の中央部２１２における前側に設けられ、例えば右側方に突出する平面視略台形の突起状に形成されている。凸部１６は、後述する第二保持部３の第二ベース部７の分離接続面３５に設けられた凹部３７と例えば係合可能である。凹部１７は、分離接続面１５の中央部２１２における後ろ側に設けられ、例えば左側方に陥没する平面視略台形の溝状に形成されている。凹部１７は、第二保持部３の第二ベース部７の分離接続面３５に設けられた凸部３６と例えば係合可能である。
【００４３】
−第一蓋部６の構造の説明−
第一蓋部６は、第一ベース部５の左側部に対して、後述する一対の連結部２７，２８を介して連結され、第一ベース部５の上面に対して、開閉自在に設けられている。第一蓋部６も、平面視前後方向に長い略矩形状の板体であって、第一ベース部５と互いに略対称形状である。第一蓋部６は、前後方向において前側から順に、前側部２２１、中央部２２２、後側部２２３を備える。第一蓋部６の上面は、略水平に延びる平面である。第一蓋部６の下面は、中央部２２２では略水平に延びる平面であり、前側部２２１及び後側部２２３においては、前方及び後方に向かうに従って斜め上方に夫々傾斜している。即ち、中央部２２２は側面視略長方形状に形成され、前側部２２１は前方に向かって下面側が斜め上方に傾斜する側面視略三角形状に形成され、後側部２２３は後方に向かって下面側は斜め上方に傾斜する側面視略三角形状に形成されている。それ故、第一蓋部６の上下方向の厚みも、第一ベース部５と同様に、中央部２２２において最も厚くなっている。
【００４４】
第一蓋部６の上面における左右方向の中心線に沿って、半円状の溝２１が設けられている。溝２１のサイズは、保持させる配線Ａ１（図３参照）のうち径方向の略半分が配置可能な程度であればよい。第一蓋部６の上面における溝２１の右側には、平面状の内側上面部２２が設けられている。内側上面部２２は、第一蓋部６を第一ベース部５に対して重ね合わせるとき、第一ベース部５の内側上面部１３に接触する面である。第一蓋部６の上面における溝２１の左側には、平面状の外側上面部２３が設けられている。外側上面部２３は、第一蓋部６を第一ベース部５に対して重ね合わせるとき、第一ベース部５の外側上面部１２に接触する面である。外側上面部２３における中央部２２２に該当する部分には、挿入溝２４が設けられている。挿入溝２４は、溝２１の内面に沿って平面視左右方向に延びる略矩形状に形成されている。第一蓋部６を第一ベース部５に対して重ね合わせるとき、挿入溝２４には、第一ベース部５のプレート用溝１１Ａに固定された導通プレート５０の上側部分が挿入される。
【００４５】
溝２１の内面であって、後端から少し内側（前側）の位置には、半円の板状に形成された突起部２６が設けられている。突起部２６は、溝２１の内面から離れる方向に突出する。突起部２６は、第一保持部２の第一蓋部６に設けられた溝２１にのみ設ける。突起部２６は、図３に示すように、溝２１に配置される配線Ａ１がエレクトロタップ１から外側にはみ出さないように、配線Ａ１の端部を引っ掛けることができる。これにより、配線Ａ１が外側にはみ出してショートするのを防止できる。なお、突起部２６の高さは、例えば配線Ａ１の端部が少しだけ引っ掛かる程度にするのが好ましい。例えば、図１２に示すように、配線Ａ２の途中部分に対し、配線Ｃ２の分岐接続を行うような場合、第一保持部２の溝２１の内側に対して、突起部２６を乗り越えて配線Ａ２を配置できる。これにより、配線Ａ２を第一保持部２に保持させ、配線Ｃ２を第二保持部３に保持させることができるので、配線Ａ２と配線Ｃ２を電気的に接続できる。
【００４６】
図２に戻り、第一蓋部６の左側面には、合わせ面２０１が設けられている。合わせ面２０１は上下方向に平行な平面である。合わせ面２０１は、第一蓋部６を第一ベース部５に対して重ね合わせたとき、第一ベース部５の分離接続面１５と上下方向に並ぶことによって略面一となり、後述する第二保持部３の第二蓋部８の合わせ面４０１と相対する。合わせ面２０１における中央部２２２に相当する部分には、上述の挿入溝２４が合わせ面２０１の上端部から略中段位置まで切り込み状に形成されている。第一蓋部６の右側面には、係止枠部２５が上方に突出して設けられている。係止枠部２５は、右側面視略逆Ｕ字状に形成されている。後述するが、第一ベース部５に対して、第一蓋部６を重ね合わせるとき、係止枠部２５は、第一ベース部５の支持壁１８の左側面に設けられた円錐部１９の周面に接触し、且つ下方に摺動する。係止枠部２５が円錐部１９の周面を滑り落ちたときに、係止枠部２５の内側に、円錐部１９の底部が係止する。これにより、第一ベース部５に対して、第一蓋部６が閉じられて固定される。
【００４７】
一対の連結部２７，２８は、第一ベース部５の内側上面部１３の左端部と、第一蓋部６の内側上面部２２の右端部との間に渡設され、第一ベース部５と第一蓋部６を蝶番状に折り曲げ可能に連結している。連結部２７は、第一ベース部５の後側部２１３と、第一蓋部６の後側部２２３との間に配置されている。連結部２８は、第一ベース部５の前側部２１１と、第一蓋部６の前側部２２１との間に配置されている。連結部２７，２８は、左右方向に延びる細長の略矩形板状に形成され、折り曲げ可能な程度に薄く形成されている。これら連結部２７，２８の間には、上述の係止枠部２５が配置され、その係止枠部２５に対向するように、支持壁１８が配置されている。
【００４８】
導通プレート５０は、支持壁１８、溝１１、外側上面部１２に設けられたプレート用溝１１Ａに上方から挿入固定されている。導通プレート５０は金属を用いることができるが、導電性を有する部材であれば何でもよい。例えば、導電性樹脂でプレートを形成してもよく、又は表面を導電性樹脂で覆うようにしてもよい。導通プレート５０は、正面視略矩形板状である。導通プレート５０は、上端部に溝部５２を備える。溝部５２は、導通プレート５０の上端部における溝１１に対応する位置から下方に略Ｕ字状に窪み、溝１１の内面よりもやや上方の位置を底部としている。溝部５２の上側の両角部は、円弧状のテーパになっているので、溝部５２の内側に対して配線Ａ１を引き入れ易くしている。なお、溝部５２の溝幅（左右方向の長さ）は、配線Ａ１の径よりも小さい幅で離間するが、例えば、配線Ａ１の被覆１０１Ｂを除く導線１０１Ａの束の径と略同一にしてもよい。また、溝部５２の溝幅は、上から下に向かって同一幅であるが、例えば、上から下に向かって徐々に幅を狭めるようにしてもよい。
【００４９】
図２〜図５を参照し、第二保持部３の構造を説明する。第二保持部３は、第一保持部２と同様に、第二ベース部７、第二蓋部８、一対の連結部４７，４８、導通プレート６０等を備える。
【００５０】
−第二ベース部７の構造−
第二ベース部７は、平面視前後方向に長い略矩形状の板体である。第二ベース部７は、前後方向において前側から順に、前側部３１１、中央部３１２、後側部３１３を備える。第二ベース部７の上面は、略水平に延びる平面である。第二ベース部７の下面は、中央部３１２では略水平に延びる平面であり、前側部３１１及び後側部３１３においては、前方及び後方に向かうに従って斜め上方に夫々傾斜している。即ち、中央部３１２は側面視略長方形状に形成され、前側部３１１は前方に向かって下面側が斜め上方に傾斜する側面視略三角形状に形成され、後側部３１３は後方に向かって下面側は斜め上方に傾斜する側面視略三角形状に形成されている。それ故、第二ベース部７の上下方向の厚みは、中央部３１２において最も厚くなっている。
【００５１】
第二ベース部７の上面における左右方向の中心線に沿って、半円状の溝３１が設けられている。溝３１のサイズは、配線Ｃ１（図３参照）のうち径方向の略半分が配置可能な程度であればよい。第二ベース部７の上面における溝３１の左側には、平面状の外側上面部３２が設けられている。第二ベース部７の上面における溝３１の右側には、平面状の内側上面部３３が設けられている。
【００５２】
内側上面部３３であって、中央部３１２に該当する部分には、側面視略矩形板状の支持壁３８が立設されている。支持壁３８の右側面の下側には、円錐部３９が設けられている。円錐部３９は、上方に向かうに従って縮径する円錐体を軸方向に沿って半分に切断した形状である。溝３１の内側であって中央部２１２に該当する部分には、左右方向に延びるプレート用溝３１Ａが設けられている。プレート用溝３１Ａの右端部は、支持壁３８の右側面の上端部まで延びる。プレート用溝３１Ａの左端部は、外側上面部３２まで延びる。プレート用溝３１Ａには、後述する導通プレート６０が上方から差し込まれて固定されている。
【００５３】
第二ベース部７の左側面には、分離接続面３５が設けられている。分離接続面３５は上下方向に平行で、且つ左側面視前後方向に長い略矩形状に形成されている。分離接続面３５は、第一保持部２の第一ベース部５の分離接続面１５と相対し、分離又は接続する面である。分離接続面３５の中央部３１２に該当する部分には、プレート用溝３１Ａの左端部が貫通することによって、例えば上方が開口する略Ｕ字状の溝が形成されている。その溝の内側には、導通プレート６０の左端端側の端面である接続面６１が配置されている。接続面６１は、上述の導通プレート５０の接続面５１と接触して導通する。
【００５４】
さらに、分離接続面３５には、凸部３６と凹部３７が設けられている。凸部３６は、分離接続面３５の中央部３１２における後ろ側に設けられ、例えば左側方に突出する平面視略台形の突起状に形成されている。凸部３６は、第一保持部２の第一ベース部５の分離接続面１５に設けられた凹部１７と例えば係合可能である。凹部３７は、分離接続面１５の中央部２１２における前側に設けられ、例えば右側方に陥没する平面視略台形の溝状に形成されている。凹部３７は、第一保持部２の第一ベース部５の分離接続面１５に設けられた凸部１６と例えば係合可能である。
【００５５】
なお、本実施形態では、第一ベース部５側の凸部１６と、第二ベース部７側の凸部３６は、互いに同一の突起形状である。さらに、第一ベース部５側の凹部１７と、第二ベース部７側の凹部３７も、互いに同一の溝形状である。凸部１６と凹部３７、凸部３６と凹部１７の関係は、例えばレゴ（登録商標）ブロックの凸部と凹部のような関係にあるので、互いに係合することによって一体化される。これにより、第一保持部２と第二保持部３は互いに連結した状態に保持される。
【００５６】
−第二蓋部８の構造−
第二蓋部８は、第二ベース部７の左側部に対して、後述する一対の連結部４７，４８を介して連結され、第二ベース部７の上面に対して、開閉自在に設けられている。第二蓋部８も、平面視前後方向に長い略矩形状の板体であって、第二ベース部７と互いに略対称形状である。第二蓋部８は、前後方向において前側から順に、前側部３２１、中央部３２２、後側部３２３を備える。第二蓋部８の上面は、略水平に延びる平面である。第二蓋部８の下面は、中央部３２２では略水平に延びる平面であり、前側部３２１及び後側部３２３においては、前方及び後方に向かうに従って斜め上方に夫々傾斜している。即ち、中央部３２２は側面視略長方形状に形成され、前側部３２１は前方に向かって下面側が斜め上方に傾斜する側面視略三角形状に形成され、後側部３２３は後方に向かって下面側は斜め上方に傾斜する側面視略三角形状に形成されている。それ故、第二蓋部８の上下方向の厚みは、第二ベース部７と同様に、中央部３２２において最も厚くなっている。
【００５７】
第二蓋部８の上面における左右方向の中心線に沿って、半円状の溝４１が設けられている。溝４１のサイズは、保持させる配線Ｃ１（図３参照）のうち径方向の略半分が配置可能な程度であればよい。第二蓋部８の上面における溝２１の左側には、平面状の内側上面部４２が設けられている。内側上面部４２は、第二蓋部８を第二ベース部７に対して重ね合わせるとき、第二ベース部７の内側上面部３３に接触する面である。第二蓋部８の上面における溝４１の右側には、平面状の外側上面部４３が設けられている。外側上面部４３は、第二蓋部８を第二ベース部７に対して重ね合わせるとき、第二ベース部７の外側上面部３２に接触する面である。外側上面部４３における中央部３２２に該当する部分には、挿入溝４４が設けられている。挿入溝４４は、溝４１の内面に沿って平面視左右方向に延びる略矩形状に形成されている。第二蓋部８を第二ベース部７に対して重ね合わせるとき、挿入溝４４には、第二ベース部７のプレート用溝３１Ａに固定された導通プレート６０の上側部分が挿入される。また、内側上面部４２の前端部と外側上面部４３の前端部との間には、溝４１の前端側を塞ぐ係止壁部４９が設けられている。係止壁部４９の上端部は半円弧状に形成され、第二ベース部７の溝３１の形状に対応している。係止壁部４９は、例えば、溝４１に配置される配線Ｃ２がエレクトロタップ１から外側にはみ出さないように、配線Ｃ２の端部を係止させることができる。
【００５８】
第二蓋部８の右側面には、合わせ面４０１が設けられている。合わせ面４０１は上下方向に平行な平面である。合わせ面４０１は、第二蓋部８を第二ベース部７に対して重ね合わせたとき、第二ベース部７の分離接続面３５と上下方向に並ぶことによって略面一となり、第一保持部２の第一蓋部６の合わせ面２０１と相対する。合わせ面４０１における中央部３２２に相当する部分には、上述の挿入溝４４が合わせ面４０１の上端部から略中段位置まで切り込み状に形成されている。第二蓋部８の左側面には、係止枠部４５が上方に突出して設けられている。係止枠部４５は、左側面視略逆Ｕ字状に形成されている。後述するが、第二ベース部７に対して、第二蓋部８を重ね合わせるとき、係止枠部４５は、第二ベース部７の支持壁３８の右側面に設けられた円錐部３９の周面に接触し、且つ下方に摺動する。係止枠部４５が円錐部３９の周面を滑り落ちたときに、係止枠部４５の内側に、円錐部３９の底部が係止する。これにより、第二ベース部７に対して、第二蓋部８が閉じられて固定される。
【００５９】
一対の連結部４７，４８は、第二ベース部７の内側上面部３３の右端部と、第二蓋部８の内側上面部４２の左端部との間に渡設され、第二ベース部７と第二蓋部８を蝶番状に折り曲げ可能に連結している。連結部４７は、第二ベース部７の後側部３１３と、第二蓋部８の後側部３２３との間に配置されている。連結部４８は、第二ベース部７の前側部３１１と、第二蓋部８の前側部３２１との間に配置されている。連結部４７，４８は、左右方向に延びる細長の略矩形板状に形成され、折り曲げ可能な程度に薄く形成されている。これら連結部４７，４８の間に、上述の係止枠部４５が配置され、その係止枠部４５に対向するように、支持壁３８が配置されている。
【００６０】
導通プレート６０は、支持壁３８、溝３１、外側上面部３２に設けられたプレート用溝３１Ａに上方から挿入固定されている。導通プレート６０も金属を用いることができるが、導電性を有する部材であれば何でもよい。例えば、導電性樹脂でプレートを形成してもよく、又は表面を導電性樹脂で覆うようにしてもよい。導通プレート６０は、正面視略矩形板状である。導通プレート６０は、上端部に溝部６２を備える。溝部６２は、導通プレート６０の上端部における溝３１に対応する位置から下方に略Ｕ字状に窪み、溝３１の内面よりもやや上方の位置を底部としている。溝部６２の上側の両角部は、円弧状のテーパになっているので、溝部６２の内側に対して配線Ｃ１を引き入れ易くしている。なお、溝部６２の溝幅（左右方向の長さ）は、配線Ｃ１の径よりも小さい幅で離間するが、例えば、配線Ｃ１の被覆１０２Ｂを除く導線１０２Ａの束の径と略同一にしてもよい。また、溝部６２の溝幅は、上から下に向かって同一幅であるが、例えば、上から下に向かって徐々に幅を狭めるようにしてもよい。
【００６１】
図１〜図８を参照し、エレクトロタップ１を用いた配線の接続方法の一例を説明する。ここでは、図１１（１）に示すように、配線Ａ１と配線Ｃ１を接続する最も基本的な接続形態を例に説明する。なお、図３，図８に示すように、配線Ａ１は、導線１０１Ａの周囲を被覆１０１Ｂで覆った一般的なものである。配線Ｃ１は、導線１０２Ａの周囲を被覆１０２Ｂで覆った一般的なものである。
【００６２】
先ず、図３に示すように、配線Ａ１を、第一保持部２の第一蓋部６の溝２１の内側に配置する。このとき、配線Ａ１の端部を突起部２６に引っ掛けることで、配線Ａ１がエレクトロタップ１の外側にはみ出すのを防止できる。他方、配線Ｃ１を、第二保持部３の第二蓋部８の溝４１の内側に配置する。このとき、配線Ｃ１の端部を係止壁部４９に引っ掛けることで、配線Ｃ２がエレクトロタップ１の外側にはみ出すのを防止できる。この状態では、配線Ａ１とＣ１は、互いに略平行に配置される。
【００６３】
次いで、図５，図６に示すように、第一蓋部６を第一ベース部５に対して図中矢印Ｐ１方向に回動させて閉じる。第一ベース部５に対して第一蓋部６を略９０°回動させたとき、図６に示すように、第一蓋部６の係止枠部２５は略水平になると共に、その上端部が、第一ベース部５の支持壁１８の左側面に設けられた円錐部１９の周面に接触する。さらに、第一蓋部６を第一ベース部５側に回動させると、係止枠部２５の上端部が円錐部１９の周面を下方に摺動する。溝２１に配置した配線Ａ１は、導通プレート５０の溝部５２の内側に挿入される。そして、第一蓋部６の中央部２２２と、第一ベース部５の中央部２１２とをペンチ等で挟み込み、第一蓋部６の中央部２２２を、第一ベース部５の中央部２１２に対して上方から押えることで、配線Ａ１が溝部５２に沿って下方に押し込まれる（図７参照）。ここで、第一蓋部６の中央部２２２と、第一ベース部５の中央部２１２は、各部材の中で最も厚い部分であるので、第一蓋部６と第一ベース部５に対して力を掛けやすい。このとき、配線Ａ１の被覆１０１Ｂが溝部５２の内縁部によって締め付けられ、破れることによって、導通プレート５０が配線Ａ１の導線１０１Ａと接触する。そして、係止枠部２５が円錐部１９の周面を滑り落ちたときに、係止枠部２５の内側に、円錐部１９の底部が係止する。これにより、第一ベース部５に対して、第一蓋部６が閉じられて強固に固定され、配線Ａ１が保持される。
【００６４】
他方、第二蓋部８を第二ベース部７に対して図５中矢印Ｐ２方向に回動させて閉じる。第一保持部２と同様に、第二ベース部７に対して第二蓋部８を略９０°回動させたとき、第二蓋部８の係止枠部４５は略水平になると共に、その上端部が、第二ベース部７の支持壁３８の右側面に設けられた円錐部３９の周面に接触する。さらに、第二蓋部８を第二ベース部７側に回動させると、係止枠部４５の上端部が円錐部３９の周面を下方に摺動する。溝４１に配置した配線Ｃ１は、導通プレート６０の溝部６２の内側に挿入される。そして、第二蓋部８の中央部３２２と、第二ベース部７の中央部３１２とをペンチ等で挟み込み、第二蓋部８の中央部３２２を、第二ベース部７の中央部３１２に対して上方から押えることで、配線Ｃ１が溝部６２に沿って下方に押し込まれる。ここで、第二蓋部８の中央部３２２と、第二ベース部７の中央部３１２は、各部材の中で最も厚い部分であるので、第二蓋部８と第二ベース部７に対して力を掛けやすい。このとき、配線Ｃ１の被覆１０２Ｂが溝部６２の内縁部によって締め付けられ、破れることによって、導通プレート６０が配線Ｃ１の導線１０２Ａと接触する。そして、図７に示すように、係止枠部４５が円錐部３９の周面を滑り落ちたときに、係止枠部４５の内側に、円錐部３９の底部が係止する。これにより、第二ベース部７に対して、第二蓋部８が閉じられて強固に固定され、配線Ｃ１が保持される。
【００６５】
このようにして、図７，図８に示すように、第一保持部２に対して配線Ａ１が保持され、第二保持部３に対して配線Ｃ１が保持される。この状態では、導通プレート５０が配線Ａ１の導線１０１Ａと接触し、導通プレート６０が配線Ｃ１の導線１０２Ａと接触している。さらに、第一保持部２と第二保持部３の夫々の合わせ面である分離接続面１５と３５において、導通プレート５０の接続面５１と、導通プレート６０の接続面６１とが互いに接触し、一枚の導通部材を構成する（図１，図３，図７参照）。これにより、配線Ａ１とＣ１は、導通プレート５０と６０を介して互いに電気的に接続される。
【００６６】
また、第一保持部２の内側において、配線Ａ１が、導通プレート５０の溝部５２の内側に挿入され、被覆１０１Ｂが破られることによって、導線１０１Ａと溝部５２の内縁部とが接触している。そして、この配線Ａ１に対して、導通プレート５０が直交するように配置されているので、導線１０１Ａと溝部５２の内縁部とが接触する部分では、切断された被覆１０１Ｂの略リング状の切断端が、導通プレート５０の溝部５２の内縁部に対して前後方向の両側から係止して挟み込んだ状態となっている。これにより、仮に配線Ａ１が前方に引っ張られても、配線Ａ１が外側に引き抜かれるのを防止できる。これは、第二保持部３の内側においても、配線Ｃ１について同様である。
【００６７】
図２，図１１を参照し、エレクトロタップ１における配線Ａ１とＣ１の接続を解除する方法を説明する。配線Ａ１と配線Ｃ１を接続した後に、例えば、限られた狭い空間内において、他の配線の取り回しや、他の配線の接続等の作業性の確保を理由として、配線Ａ１とＣ１の接続を一旦解除したい場合がある。一般的な周知のエレクトロタップであれば、例えば、閉じたエレクトロタップを工具等でこじ開け、配線Ａ１と配線Ｃ１をエレクトロタップから取り外して接続を解除することが必要であった。これに対し、本実施形態のエレクトロタップ１は、図１１（２）に示すように、配線Ａ１を保持する第一保持部２と、配線Ｃ１を保持する第二保持部３とを互いに分離することによって、エレクトロタップ１を工具等でこじ開けることなく、配線Ａ１とＣ１の接続を簡単に解除できる。その場合、第一保持部２と第二保持部３を、例えば互いに逆方向にひねることによって、凸部１６及び凹部１７、凸部３６及び凹部３７が夫々弾性変形するので、各係合部分に隙間が生じる。よって、そのまま第一保持部２と第二保持部３を引き離すことによって、第一保持部２と第二保持部３を容易に分離できる。
【００６８】
第一保持部２と第二保持部３を互いに分離したことによって、配線Ａ１の端部には第一保持部２が接続され、配線Ｃ１の端部には第二保持部３が接続された状態となる。これにより、第一保持部２は、配線Ａ１の接続端子、第二保持部３は、配線Ｃ１の接続端子として機能させることができる。さらに、図１１（１）に示すように、配線Ａ１と配線Ｃ１を再度接続させる場合、第一保持部２の分離接続面１５に設けられた凸部１６及び凹部１７と、第二保持部３の分離接続面３５に設けられた凸部３６及び凹部３７とを再度、互いに係合させればよい（図３参照）。このとき、エレクトロタップ１は元の状態に戻るので、エレクトロタップ１の内側において、第一保持部２と第二保持部３の夫々の合わせ面である分離接続面１５と３５において、導通プレート５０の接続面５１と、導通プレート６０の接続面６１とが互いに接触した状態となる。これにより、配線Ａ１とＣ１が導通プレート５０と６０を介して再度、互いに電気的に接続される。
【００６９】
図９，図１０を参照し、エレクトロタップ１の保護カバー７０について説明する。上記の通り、本実施形態では、第一保持部２と第二保持部３の接続を、樹脂で形成された第一保持部２の分離接続面１５に設けられた凸部１６及び凹部１７と、第二保持部３の分離接続面３５に設けられた凸部３６及び凹部３７とを互いに係合させる構造を採用しているので、接続部分にひねり等の力が加わると、凸部１６及び凹部１７、凸部３６及び凹部３７は夫々弾性変形するので、第一保持部２と第二保持部３が接続部分において外れ易くなる。そこで、本実施形態では、配線Ａ２とＣ２を保持して互いに接続した状態のエレクトロタップ１に対し、外側から覆うようにして、保護カバー７０を取り付けることもできる。
【００７０】
保護カバー７０は、例えば、断面略逆Ｕ字状に形成されているが、第一保持部２と第二保持部３を互いに接続する方向に保持できる形状であれば何でもよい。なお、エレクトロタップ１を上側から下側まで回り込むように覆うことができる形状が好ましい。保護カバー７０の材質は何でもよいが、ある程度の硬さがあればよく、例えば可撓性を有するゴムや樹脂等の材質で形成されてもよい。保護カバー７０は、横壁部７１、第一側壁部７２、第二側壁部７３、係止部７４，７５等を備える。横壁部７１は、平面視左右方向に延びる略矩形板状に形成されている。第一側壁部７２及び第二側壁部７３は、横壁部７１の左右の両端部から下方に夫々延び、側面視上下方向の延びる略矩形板状に形成されている。係止部７４は、第一側壁部７２の下端部から内方（左側方）に向けて略直角に延びる。係止部７５は、第二側壁部７３の下端部から内方（右側方）に向けて略直角に延びる。係止部７４，７５の夫々の先端部は、所定の隙間を空けて離間している。
【００７１】
作業者は、例えば、保護カバー７０の係止部７４，７５に指を掛け、内側をハの字に広げるようにして、閉じた状態のエレクトロタップ１の外側面のうち、第一保持部２の前後方向の中央部分、及び第二保持部３の前後方向の中央部分を外側から覆うようにして内側に嵌め込む。このとき、第一側壁部７２の内面は、第一保持部２の第二保持部３と分離接続する側とは反対側の外側部と当接する。第二側壁部７３の内面は、第二保持部３の第一保持部２と分離接続する側とは反対側の外側部と当接する。それ故、保護カバー７０の弾性復帰力によって、第一側壁部７２と第二側壁部７３は、第一保持部２と第二保持部３に対して、分離接続面１５と分離接続面３５とが互いに接触する方向に夫々当接するので、第一保持部２及び第二保持部３を一体的に強固に保持できる。これにより、第一保持部２と第二保持部３の接続部分にひねり等の力が加わっても外れにくくすることができる。
【００７２】
また、第一保持部２の第二保持部３側とは反対側の外側部には、連結部２７，２８が半分に折り曲げられた状態で、左側方に突出しているが、保護カバー７０の第一側壁部７２は、それら連結部２７，２８の間に配置されるので、第一保持部２の外側面（係止枠部２５）に密着させることができる。他方、第二保持部３の第一保持部２側とは反対側の外側部には、連結部４７，４８が半分に折り曲げられた状態で、右側方に突出しているが、保護カバー７０の第二側壁部７３は、それら連結部４７，４８の間に配置されるので、第二保持部３の外側面（係止枠部４５）に密着させることができる。これにより、第一側壁部７２と第二側壁部７３は、第一保持部２及び第二保持部３に対して互いに接続する方向にバランス良く密着して付勢できるので、第一保持部２及び第二保持部３をより一体的に強固に保持できる。
【００７３】
また、エレクトロタップ１に取り付けられた保護カバー７０では、第一保持部２及び第二保持部３の夫々の底部側の側面部に対し、係止部７４，７５が密着している。これにより、第一保持部２及び第二保持部３を周囲から取り囲んで内側に保持できるので、第一保持部２及び第二保持部３をより安定して一体的に強固に保持できる。
【００７４】
また、保護カバー７０は、断面略逆Ｕ字状に形成されているので、配線Ａ１とＣ１を保持した状態のエレクトロタップ１に対して、外側から覆うようにして取り付けることができる。これにより、配線Ａ１とＣ１を保持した状態のエレクトロタップ１に対して、保護カバー７０を自由に着脱できるので、例えば、後述するように、エレクトロタップ１を分離し、接続する相手側の保持部を変えて接続した後でも、既に接続した配線に影響されること無く、保護カバー７０を容易に取り付けることができる。
【００７５】
図１３〜図１６を参照し、エレクトロタップ１５０，２５０を用いて、車両配線Ａ３に対し、製品配線Ｃ４，Ｃ５を接続する場合の作業方法の一例を説明する。図１３に示すように、車両配線Ａ３は、例えば自動車のＥＣＵ（図示略）から延びる配線である。製品配線Ｃ４，Ｃ５は、例えば外部製品８０から延びる二本の配線である。外部製品８０は、例えば、オーディオ、カーナビ、液晶ディスプレイ等である。車両配線Ａ３は、例えば、自動車の車室内の暗い場所に配置されていることが多く、具体的には、インパネの下側、運転席の下側、後部座席の後方下側にあるＥＣＵ等の制御部等の設置場所等に配置されていることが多い。
【００７６】
図１３に示すように、先ず、車両配線Ａ３の接続予定部位をハサミ等で切断する。すると、車両配線Ａ３は、切断した箇所において、車両配線Ａ４とＡ５に分離される。そして、図１４に示すように、上記接続方法と同様に、一方の車両配線Ａ４に対し、エレクトロタップ１５０を用いて、製品配線Ｃ４を接続する。他方の車両配線Ａ５に対し、エレクトロタップ２５０を用いて、製品配線Ｃ５を接続する。なお、エレクトロタップ１５０，２５０は、何れも上記のエレクトロタップ１と同一のものであるので、内部構造は図１を参照して説明する。エレクトロタップ１５０では、例えば第一保持部１５２が車両配線Ａ４を保持し、第二保持部２５３が製品配線Ｃ４を保持するが、保持する配線は逆であってもよい。エレクトロタップ２５０では、例えば第一保持部２５２が車両配線Ａ５を保持し、第二保持部２０３が製品配線Ｃ５を保持するが、保持する配線は逆であってもよい。
【００７７】
エレクトロタップ１５０の内側では、車両配線Ａ４の導線（図示略）が、第一保持部１５２内の導通プレート５０（図１参照）と接触し、製品配線Ｃ４の導線は、第二保持部２５３内の導通プレート６０（図１参照）と接触する。導通プレート５０の接続面５１と、導通プレート６０の接続面６１とが接触することで、車両配線Ａ４と製品配線Ｃ４とが電気的に接続される。他方、エレクトロタップ２５０の内側でも同様に、車両配線Ａ５の導線は、第二保持部２０２内の導通プレート５０（図１参照）と接触し、製品配線Ｃ５の導線は、第二保持部２０３内の導通プレート６０（図１参照）と接触する。導通プレート５０の接続面５１と、導通プレート６０の接続面６１とが接触することで、車両配線Ａ５と製品配線Ｃ５とが電気的に接続される。なお、図示しないが、エレクトロタップ１５０，２５０に対し、上記の保護カバー７０（図９，図１０参照）を夫々取り付けることによって、接続部分にひねり等の力が加わっても、第一保持部１５２，２５２と、第二保持部１５３，２５３とに分離してしまうのを防止できる。
【００７８】
ところで、このような接続形態でも、車両配線Ａ４，Ａ５に対し、製品配線Ｃ４，Ｃ５を接続した後に、例えば、製品配線Ｃ４，Ｃ５の誤接続、外部製品８０の点検、修理、交換等を理由として、外部製品８０を取り外し、車両配線Ａ４とＡ５を元の状態に再接続したい場合がある。仮に、一般的な周知のエレクトロタップを用いて接続した場合、作業者は、例えば、上半身を運転席の足元に潜り込んで仰向けに寝転がりながら、ハンドルの下側の暗い空間に手を入れる等の極めて不安定な姿勢で、固く閉じられた二つのエレクトロタップを手探りの状態で、工具等でこじ開け、車両配線Ａ４，Ａ５から二つのエレクトロタップを取り外す必要があり、作業は困難を極める。
【００７９】
さらに、二つのエレクトロタップをこじ開け、車両配線Ａ４，Ａ５から製品配線Ｃ４，Ｃ５を取り外した後、車両配線Ａ４とＡ５をハンダ等で接続し直すことが考えられる。ハンダで接続する場合、作業者は上記の様な無理な姿勢で、ハンダゴテを片手に持って作業を行うことになる。その場合、作業者は、例えば運転席の足元に潜り込んで向けになった姿勢で、再接続する車両配線Ａ４とＡ５を下方から見上げ、顔の上方でハンダ付けを行うことが想定される。その場合、安全を確保する為に、例えば顔を覆うことができる保護マスク等を用いるなどして、注意深く慎重に作業をしなければならない。その他に、ギボシ等を作って車両配線Ａ４，Ａ５を再接続することも考えられるが、上記の通り、運転席下の奥側にある車両配線Ａ４，Ａ５に対して、手探りの状態でギボシを作るのは、熟練した技術が無ければ極めて困難である。
【００８０】
そこで、本実施形態のエレクトロタップ１５０は、第一保持部１５２と第二保持部２５３とに分離でき、エレクトロタップ２５０は、第一保持部２５２と第二保持部２０３とに分離できる。即ち、図１５に示すように、エレクトロタップ１５０を、車両配線Ａ４を保持する第一保持部１５２と、製品配線Ｃ４を保持する第二保持部２５３とに簡単に分離できる。他方、エレクトロタップ２５０を、車両配線Ａ５を保持する第一保持部２５２と、製品配線Ｃ５を保持する第二保持部２５３とに簡単に分離できる。これにより、エレクトロタップを用いた配線の接続作業に慣れていない人でも、車両配線Ａ４，Ａ５から製品配線Ｃ４，Ｃ５を簡単に取り外すことができる。
【００８１】
車両配線Ａ４，Ａ５から製品配線Ｃ４，Ｃ５を取り外した状態では、車両配線Ａ４の端部には、第一保持部１５２が閉じた状態で接続され、製品配線Ｃ４の端部には、第二保持部２５３が閉じた状態で夫々接続されている。他方、車両配線Ａ５の端部には、第一保持部２５２が閉じた状態で接続され、製品配線Ｃ５の端部には、第二保持部２０３が閉じた状態で接続されている。これにより、第一保持部１５２は、車両配線Ａ４の接続端子として、第二保持部２５３は、製品配線Ｃ４の接続端子として、第一保持部２５２は、車両配線Ａ５の接続端子として、第二保持部２０３は、製品配線Ｃ５の接続端子として機能する。配線Ａ４，Ａ５，Ｃ４，Ｃ５の各端部は、第一保持部１５２、第二保持部２５３、第一保持部２５２、第二保持部２０３によって周囲を覆われて保護されているので、一般的な周知の電気端子と同等の機能を発揮できる。
【００８２】
そして、車両配線Ａ４とＡ５を元の状態に再接続したい場合、図１６に示すように、車両配線Ａ４の端部を保持する第一保持部１５２と、車両配線Ａ５の端部を保持する第一保持部２５２を相互に接続すればよい。ここで、図１，図２に示すように、エレクトロタップ１５０の第一保持部２５２の分離接続面１５に設けられた凸部１６及び凹部１７と、第二保持部２０３の分離接続面３５に設けられた凸部３６及び凹部３７とは互いに同一形状である。それ故、エレクトロタップ１５０の第一保持部１５２と、エレクトロタップ２５０の第一保持部２５２とを相互に接続するには、例えば第一保持部１５２に対して、第一保持部２５２の上下をひっくり返して配置すればよい。これによって、第一保持部１５２の分離接続面１５に設けられた凸部１６に対して、第一保持部２５２の分離接続面１５に設けられた凹部１７を相対させ、第一保持部１５２の分離接続面１５に設けられた凹部１７に対して、第一保持部２５２の分離接続面１５に設けられた凸部１６を相対させることができるので、夫々を互いに係合させることができる。これにより、図１６に示すように、第一保持部１５２と第一保持部２５２を接続できるので、新たなエレクトロタップ３５０が構成される。図示しないが、エレクトロタップ３５０の内側では、第一保持部１５２の分離接続面１５に配置された導通プレート５０の接続面５１と、第二保持部２０２の分離接続面１５に配置された導通プレート５０の接続面５１とが互いに接触する。これにより、車両配線Ａ４とＡ５の夫々の導線が、２枚の導通プレート５０，５０を介して電気的に再接続される。
【００８３】
このように、本実施形態のエレクトロタップ１は、配線同士の接続と分離が簡単にできるので、余計な作業をすることなく、手間をかけずに、配線を元のオリジナルの状態に簡単に戻すことができる。また、何度でも繰り返して分離と接続が可能であることから、配線作業がやり易い上に、ハンダ付けや、ギボシ接続等にかかる部品コストを節約することもできる。
【００８４】
なお、図１４に示す接続形態において、例えば、車両配線Ａ５をエレクトロタップ２５０の第二保持部２５３に保持させ、製品配線Ｃ５をエレクトロタップ２５０の第一保持部２５２に保持させてもよい。この接続形態で、車両配線Ａ４とＡ５を再接続する場合、車両配線Ａ４を保持するエレクトロタップ１５０の第一保持部１５２と、車両配線Ａ５を保持するエレクトロタップ２５０の第二保持部２５３とを接続すればよい。この場合、第一保持部１５２に対して、第二保持部２５３の姿勢を変えることなく、そのまま接続できる。
【００８５】
図１７〜図１９を参照し、ホルダ４００を用いたエレクトロタップ１の別の使用方法を説明する。上述のように、エレクトロタップ１は、第一保持部２と第二保持部３に分離可能である。そのようなエレクトロタップ１を用いて、例えば、図１７に示すように、第一保持部２と第二保持部３との間に、電装部品５００を収納可能なホルダ４００を挟み込んで接続することもできる。電装部品５００とは、例えばダイオード、ヒューズ等である。
【００８６】
ホルダ４００の構造を説明する。図１９に示すように、ホルダ４００は、例えば略直方体状に形成され、その上面４１０には、下方に窪んだ平面視略矩形状の収納凹部４０５が設けられている。収納凹部４０５には、電装部品５００が着脱自在に装着される。ホルダ４００は、左側面４１１と右側面４１２を備える。左側面４１１と右側面４１２は、略矩形状であって、例えば、エレクトロタップ１の第一保持部２の分離接続面１５（図２参照）、及び第二保持部３の分離接続面３５（図２参照）の夫々の前後方向の長さと略同一長さを有する。ホルダ４００の左側面４１１の前後方向略中央部には、電装部品５００の第一端子（図示略）と接続される導通部４２１の接続面４２２が露出して設けられる。導通部４２１は導電性部材である。左側面４１１の後ろ側には、凸部４５１が設けられ、前側には、凹部４５２が設けられている。凸部４５１と凹部４５２は、例えば図２に示す第一保持部２の分離接続面１５に設けられた凹部１７と凸部１６に対して係合可能である。
【００８７】
他方、ホルダ４００の右側面４１２の前後方向略中央部には、電装部品５００の第二端子側（図示略）と接続される導通部４３１の接続面４３２が露出して設けられる。導通部４３１は導電性部材である。右側面４１２の後ろ側には、凹部４６２が設けられ、前側には、凸部４６１が設けられている。凸部４６１と凹部４６２は、例えば図２に示す第二保持部３の分離接続面３５に設けられた凸部３６と凹部３７に対して係合可能である。
【００８８】
−ヒューズを電装部品５００として用いる場合−
例えば、図１７，図２０に示すように、配線Ａ６とＣ６を接続するエレクトロタップ１を、第一保持部２と第二保持部３とに分離し、その間に、ヒューズである電装部品５００を装着したホルダ４００を接続する。なお、図２０では、内部構造と接続部分を分かり易く見せる為、第一保持部２と第二保持部３を開いた状態で図示している。この場合、ホルダ４００の左側面４１１に設けられた凸部４５１と凹部４５２を、第一保持部２の分離接続面１５に設けられた凹部１７と凸部１６に係合させることによって、配線Ａ６とＣ６の間にヒューズを簡単に接続できる。これにより、ヒューズ入りのエレクトロタップ１を簡単に作製できる。そして、第一保持部２と第二保持部３の間にヒューズを簡単に接続できるので、例えば、配線Ａ６とＣ６の間に定格以上の電流が流れないようにできる。また、第一保持部２と第二保持部３の間にヒューズを配置できるので、仮にショートしたときには、配線Ａ６又は配線Ｃ６に定格以上の電流が流れるのを防止できる。また、ショートしたときには、ホルダ４００に装着された電装部品５００を交換するだけでよいので、新たなヒューズを接続する為に新たな配線を接続する等の面倒な作業を不要にできる。また、ヒューズ入りのエレクトロタップ１として取り扱うことができるので、ヒューズを接続する為の余分な配線等が不要になるので、部品点数及び部品コストを削減できる。また、電装部品５００を装着したホルダ４００を、第一保持部２と第二保持部３の間に接続するだけでよいので、一方の配線に対してヒューズを接続する為の新たな配線を付ける等の面倒な作業を不要にできる。
【００８９】
−ダイオードを電装部品５００として用いる場合−
例えば、自動車のＥＣＵ等に接続されるカーテシ配線が一本であって、その一本から分岐させて四枚の各車両ドアに取り付けたカーテシ装置（図示略）の製品配線を接続する場合がある。この場合、図１８に示すように、夫々のドアにおいてカーテシ配線Ａ７と製品配線Ｃ７との間に、製品配線Ｃ７側からカーテシ配線Ａ７側に電流を流すダイオードを配置する必要がある。この場合、例えば、ダイオードを電装部品５００として、収納凹部４０５に装着したホルダ４００を、エレクトロタップ１の第一保持部２と第二保持部３の間に接続することにより、ダイオード入りのエレクトロタップ１を簡単に作製できる。このようなダイオードを内蔵するエレクトロタップ１を、カーテシ配線Ａ７と製品配線Ｃ７との間に接続することで、例えば、四枚の各車両ドアに設けられた各カーテシ装置が互いに電気的に繋がらないように対処できる。これにより、ＥＣＵ側では、各車両ドアに設けられたカーテシ装置から出力される信号を夫々受信できるので、どの車両ドアが開いているかを正確に認識できる。
【００９０】
なお、本実施形態では、自動車のＥＣＵ等に接続されるカーテシ配線が一本であって、その一本から分岐させて四枚の各車両ドアに取り付けたカーテシ装置（図示略）の製品配線を接続するときに、ダイオードである電装部品５００をホルダ４００に装着し、カーテシ配線Ａ７と製品配線Ｃ７との間にホルダ４００を接続する例を説明したが、配線の種類は限定されず、これ以外の種類の配線と配線の間に、ダイオードである電装部品５００を装着したホルダ４００を接続できることは勿論である。
【００９１】
また、本実施形態では、ヒューズ又はダイオードである電装部品５００を着脱可能に装着できるホルダ４００について説明したが、例えば、第一保持部２と第二保持部３との間に、電装部品５００を直接挟み込んで接続するようにしてもよい。その場合、電装部品５００の一側面に、ホルダ４００の左側面４１１に設けられた凸部４５１と凹部４５２を設け、その反対側の側面に、ホルダ４００の右側面４１２に設けられた凸部４６１と凹部４６２を設ければよい。その場合、ヒューズ、又はダイオードを、第一保持部２と第二保持部３との間に直接挟み込んで接続することができる。
【００９２】
上記説明において、図１に示す第一ベース部５の上面が本発明の「第一受け面」の一例である。第二ベース部７の上面が本発明の「第二受け面」の一例である。溝２１が本発明の「第一配線用溝」の一例である。溝４１が本発明の「第二配線用溝」の一例である。導通プレート５０の溝部５２が本発明の「第一締め付け部」の一例である。導通プレート６０の溝部６２が本発明の「第二締め付け部」の一例である。導通プレート５０，６０が本発明の「導電性部材」の一例である。導通プレート５０が本発明の「第一導電部」の一例である。導通プレート６０が本発明の「第二導電部」の一例である。導通プレート５０の溝部５２が本発明の「第一溝」の一例である。導通プレート６０の溝部６２が本発明の「第二溝」の一例である。第一保持部２の分離接続面１５が本発明の「第一分離面」の一例である。第二保持部３の分離接続面３５が本発明の「第二分離面」の一例である。凸部１６が本発明の「第一凸部」の一例である。凹部１７が本発明の「第一凹部」の一例である。凸部３６が本発明の「第二凸部」の一例である。凹部３７が本発明の「第二凹部」の一例である。図９に示す保護カバー７０が本発明の「保持手段」の一例である。
【００９３】
以上説明したように、本実施形態のエレクトロタップ１は、配線Ａ１とＣ１を夫々挟み込んで保持し、それら配線Ａ１とＣ１の夫々を挟み込むときの力で、配線Ａ１とＣ１を夫々締め付け、配線Ａ１とＣ１の被覆１０１Ｂ，１０２Ｂ内の導線１０１Ａ，１０２Ａと夫々接触する導通プレート５０と、導通プレート６０とが電気的に接続することで、配線Ａ１とＣ１を電気的に接続する配線接続部材である。エレクトロタップ１は、配線Ａ１を挟み込んで保持する第一保持部２と、配線Ｃ１を挟み込んで保持する第二保持部３とに相互に分離接続可能である。第一保持部２と第二保持部３を相互に接続したときに、第一保持部２に設けられた導通プレート５０と、第二保持部３に設けられた導通プレート６０とが電気的に接続することで、配線Ａ１と配線Ｃ１が電気的に接続される。このように、エレクトロタップ１は、配線Ａ１を保持する第一保持部２と、配線Ｃ１を保持する第二保持部３とを相互に分離できるので、エレクトロタップ１から配線Ａ１とＣ２を取り外す必要が無い。それ故、狭い場所で潜りながらの作業の容易化、特に車室の暗い所での作業の容易化、さらには手探りでの作業を可能にできる。そして、分離後の第一保持部２と第二保持部３を再度接続することで、配線Ａ１の導線１０１Ａと接続する導通プレート５０と、配線Ｃ１の導線１０２Ａと接続する導通プレート６０とが電気的に接続するので、配線Ａ１と配線Ｃ１を電気的に再接続できる。よって、第一保持部２は配線Ａ１に繋がれた端子として、第二保持部３は配線Ｃ１に繋がれた端子として機能させることができる。よって、配線Ａ１とＣ１をハンダで付け直したり、ギボシを作って再接続する等、工具を使っての面倒な作業を一切不要にできる。
【００９４】
なお本発明は、上述の実施形態に限定されず、種々の変更が可能である。以下に、上記実施形態のエレクトロタップ１を変形した八つの変形例を順に説明する。なお、構造が共通する部分は、同じ符号を用いて説明する。
【００９５】
図２１を参照して、第一変形例を説明する。第一変形例であるエレクトロタップ１０１は、上記実施形態のエレクトロタップ１（図１参照）における第一保持部２と第二保持部３とに分離接続する部分を変形したものである。エレクトロタップ１０１は、第一保持部１２１と、第二保持部１３１とに分離接続可能である。上記実施形態の第一保持部２の分離接続面１５には、凸部１６と凹部１７が一つずつ設けられ、第二保持部３の分離接続面３５には、凸部３６と凹部３７が一つずつ設けられている（図２参照）。これに対し、第一変形例の第一保持部１２１の分離接続面１５には、凸部１６と凹部１７が二つずつ設けられ、第二保持部１３１の分離接続面３５には、凸部３６と凹部３７が二つずつ設けられている。詳細には、分離接続面１５において、導通プレート５０の接続面５１よりも前側と後ろ側の各領域に、凸部１６と凹部１７が一組ずつ設けられている。さらに、各領域において、凸部１６が接続面５１側に配置されている。他方、分離接続面３５において、導通プレート６０の接続面６１よりも前側と後ろ側の各領域に、凸部３６と凹部３７が一組ずつ設けられている。さらに、各領域において、凹部３７が接続面６１側に配置されている。
【００９６】
そして、分離接続面１５に設けられた二つの凸部１６及び二つの凹部１７と、分離接続面３５に設けられた二つの凹部３７及び二つの凸部３６とが互いに係合することで、第一保持部１２１と第二保持部１３１が互いに接続できる。第一変形例では、上記実施形態と比較して、分離接続面１５と３５を接続する凸部１６，３６と凹部１７，３７の数が多いので、第一保持部１２１と第二保持部１３１を強固に接続できる。また、分離接続面１５と３５において、接続面５１，６１を境に前側と後ろ側とで、凸部１６と凹部３７、凸部３６と凹部３７が夫々係合するので、分離接続面１５と３５をバランス良く固定できる。このように、第一変形例のエレクトロタップ１０１は、上記実施形態と同様に、第一保持部１２１と、第二保持部１３１とに分離接続可能であるので、上記実施形態と同様の効果を得ることができる。なお、第一変形例では、分離接続面１５において、凸部１６と凹部１７を二つずつ設け、分離接続面３５において、凸部３６と凹部３７を二つずつ設けているが、夫々を三つ以上設けてもよい。また、分離接続面１５に凸部１６を一つ又は複数設け、分離接続面３５に凹部３７を一つ又は複数設けてもよい。なお、第一保持部１２１と第二保持部１３１とが接続したエレクトロタップ１０１に対し、図９に示す保護カバー７０を取り付けてもよい。
【００９７】
図２２を参照して、第二変形例を説明する。第二変形例であるエレクトロタップ１０２も、上記実施形態のエレクトロタップ１（図１参照）における第一保持部２と第二保持部３とに分離接続する部分を変形したものである。エレクトロタップ１０２は、第一保持部１２２と、第二保持部１３２とに分離接続可能である。上記実施形態の第一保持部２の分離接続面１５には、凸部１６と凹部１７が一つずつ設けられ、第二保持部３の分離接続面３５には、凸部３６と凹部３７が一つずつ設けられている（図２参照）。これに対し、第二変形例の第一保持部１２２の分離接続面１５には、二つの凸部１６０が設けられ、第二保持部１３２の分離接続面３５には、二つの凸部１６０に対応するように、二つの凹部３７０が設けられている。凸部１６０と凹部３７０の形状は、例えば、上下方向にスライド可能に挿入して固定できる形状にするとよい。さらに、凸部１６０は、分離接続面１５の上端から下端よりも所定距離離間した位置までの高さを有する。それ故、凸部１６０の底面は、分離接続面１５の下端よりも、所定距離だけ高い位置に配置されている。凹部３７０も、分離接続面３５の上端から下端よりも所定距離離間した位置までの高さを有する。それ故、凹部３７０の下部には底面３７０Ａが形成されている。底面３７０Ａは、分離接続面３５の下端よりも、所定距離だけ高い位置に配置されている。
【００９８】
そして、例えば、分離接続面３５に設けられた二つの凹部３７０に対し、分離接続面１５に設けられた二つの凸部１６０を上方からスライドして挿入させる。すると、各凸部１６０の底面が、各凹部３７０の底面３７０Ａに当接するので、二つの凹部３７０に対し、二つの凸部１６０が係合する。この状態で、第二保持部１３２の第二蓋部８を、第二ベース部７に対して閉じることによって、第二蓋部８の外側上面部４３が第二ベース部７の外側上面部３２に当接し、二つの凹部３７０の上部を閉じる。これにより、凹部３７０から凸部１６０が上方に抜けないようにできるので、第一保持部１２２と第二保持部１３２を互いに強固に接続できる。このように、第二変形例のエレクトロタップ１０２でも、上記実施形態と同様に、第一保持部１２２と、第二保持部１３２とに分離接続可能であるので、上記実施形態と同様の効果を得ることができる。なお、第一保持部１２２と第二保持部１３２とが接続したエレクトロタップ１０２に対し、図９に示す保護カバー７０を取り付けてもよい。
【００９９】
図２３を参照し、第三変形例を説明する。第三変形例であるエレクトロタップ２００も、上記実施形態のエレクトロタップ１（図１参照）における第一保持部２と第二保持部３とに分離接続する部分を変形したものである。エレクトロタップ２００は、第一保持部２２０と、第二保持部２３０とに分離接続可能である。第一保持部２２０の分離接続面１５において、導通プレート５０の接続面５１よりも前側には、平面視略Ｌ字型のフック形状である凸部１６１が設けられている。凸部１６１は、分離接続面１５から右方に突出し、且つ先端側が後方に略直角に屈曲している。さらに、導通プレート５０の接続面５１よりも後ろ側には、平面視略Ｌ字型の凹部１７１が設けられている。凹部１７１は、分離接続面１５から左方に延び、且つ先端側が前方に略直角に屈曲している。他方、第二保持部２３０の分離接続面３５において、導通プレート６０の接続面６１よりも前側には、平面視略Ｌ字型のフック形状である凹部３７１が設けられている。凹部３７１は、分離接続面３５から右方に延び、且つ先端側が後方に略直角に屈曲している。さらに、導通プレート６０の接続面６１よりも後ろ側には、平面視略Ｌ字型の凸部３６１が設けられている。凸部３６１は、分離接続面３５から左方に突出し、且つ先端側が前方に略直角に屈曲している。
【０１００】
そして、例えば、第一保持部２２０を上側に、第二保持部２３０を下側に夫々配置し、凹部３７１に対し、凸部１６１を上方からスライドさせて挿入し、凹部１７１に対し、凸部３６１を下方からスライドさせて挿入する。これにより、凹部３７１と凸部１６１、凹部１７１と凸部３６１が互いに係合する。この状態で、図９に示す保護カバー７０を取り付けることで、第一保持部２２０と第二保持部２３０が接続した状態で強固に保持される。このように、第三変形例のエレクトロタップ２００でも、上記実施形態と同様に、第一保持部２２０と、第二保持部２３０とに分離接続可能であるので、上記実施形態と同様の効果を得ることができる。
【０１０１】
図２４を参照し、第四変形例を説明する。第四変形例であるエレクトロタップ３００も、上記実施形態のエレクトロタップ１（図１参照）における第一保持部２と第二保持部３とに分離接続する部分を変形したものである。エレクトロタップ３００は、第一保持部３２０と、第二保持部３３０とに分離接続可能である。第四変形例の第一保持部３２０の分離接続面１５には、凸部１６４と凹部１７４が二つずつ設けられ、第二保持部３３０の分離接続面３５には、凸部３６４と凹部３７４が二つずつ設けられている。凸部１６４，３６４は、略円柱状の突起である。凹部１７４，３７４は、略円柱状の有底の穴である。凹部１７４，３７４の径は、例えば凸部１６４，３６４の径と略同一、若しくは若干短く調整されている。詳細には、分離接続面１５において、導通プレート５０の接続面５１よりも前側と後ろ側の各領域に、凸部１６４と凹部１７４が一組ずつ設けられている。他方、分離接続面３５において、導通プレート６０の接続面６１よりも前側と後ろ側の各領域に、凸部３６４と凹部３７４が一組ずつ設けられている。凸部３６４は凹部１７４に相対し、凹部３７４は凸部１６４に相対する。
【０１０２】
そして、分離接続面１５に設けられた二つの凸部１６４及び二つの凹部１７４と、分離接続面３５に設けられた二つの凹部３７４及び二つの凸部３６４とを互いに挿入固定することで、第一保持部３２０と第二保持部３３０が互いに接続できる。このように、第四変形例のエレクトロタップ３００も、上記実施形態と同様に、第一保持部３２０と、第二保持部３３０とに分離接続可能であるので、上記実施形態と同様の効果を得ることができる。なお、第一保持部３２０と第二保持部３３０とが接続したエレクトロタップ３００に対し、図９に示す保護カバー７０を取り付けてもよい。
【０１０３】
図２５を参照し、第五変形例を説明する。第五変形例であるエレクトロタップ６０１も、上記実施形態のエレクトロタップ１（図１参照）における第一保持部２と第二保持部３とに分離接続する部分を変形したものである。エレクトロタップ６０１は、第一保持部６２１と、第二保持部６３１とに分離接続可能である。第一保持部６２１の分離接続面１５において、導通プレート５０の接続面５１よりも前側には、平面視Ｔ字状の凸部１６６が設けられ、接続面５１よりも後ろ側には、平面視Ｔ字状の凹部１７６が設けられている。他方、第二保持部６３１の分離接続面３５において、導通プレート６０の接続面６１よりも前側には、平面視Ｔ字状の凹部３７６が設けられ、接続面６１よりも後ろ側には、平面視Ｔ字状の凸部３６６が設けられている。
【０１０４】
そして、例えば、第一保持部６２１を上側に、第二保持部６３１を下側に夫々配置し、凹部３７１に対し、凸部１６６を上方からスライドさせて挿入し、凹部１７６に対し、凸部３６６を下方からスライドさせて挿入する。これにより、凹部３７６と凸部１６６、凹部１７６と凸部３６６が互いに係合する。この状態で、図９に示す保護カバー７０を取り付けることで、第一保持部６２１と第二保持部６３１が接続した状態で強固に保持される。このように、第五変形例のエレクトロタップ６０１でも、上記実施形態と同様に、第一保持部６２１と、第二保持部６３１とに分離接続可能であるので、上記実施形態と同様の効果を得ることができる。
【０１０５】
図２６を参照し、第六変形例を説明する。第六変形例であるエレクトロタップ６０２は、第五変形例のエレクトロタップ６０１をさらに変形したものである。エレクトロタップ６０２は、第一保持部６２２と、第二保持部６３２とに分離接続可能である。第五変形例では、第一保持部６２１の分離接続面１５には、一組の凸部１６６と凹部１７６を設け、第二保持部６３１の分離接続面３５には、一組の凸部３６６と凹部３７６を設けている。これに対し、第六変形例では、第一保持部６２２の分離接続面１５に、凸部１６６と凹部１７６を二組設け、第二保持部６３２の分離接続面３５に、凸部３６６と凹部３７６を二組設けている。
【０１０６】
そして、分離接続面１５に設けられた二つの凸部１６６及び二つの凹部１７６と、分離接続面３５に設けられた二つの凹部３７６及び二つの凸部３６６とを互いに係合させ、図９に示す保護カバー７０を取り付けることで、第一保持部６２２と第二保持部６３２が接続した状態で強固に保持される。このように、第六変形例のエレクトロタップ６０２でも、上記実施形態と同様に、第一保持部６２２と、第二保持部６３２とに分離接続可能であるので、上記実施形態と同様の効果を得ることができる。
【０１０７】
図２７を参照し、第七変形例を説明する。第七変形例であるエレクトロタップ７００は、上記実施形態の第一保持部２と第二保持部３の分離接続面１５，３５において互いに接触して導通する接続面５１，６１の形状を変形したものである。エレクトロタップ７００は、第一保持部７２０と、第二保持部７３０とに分離接続可能である。第一保持部７２０の分離接続面１５には、上記実施形態と同様に、凸部１６と凹部１７が設けられている。その凸部１６と凹部１７に挟まれる中間位置には、導通プレート５０の接続面５１１が設けられている。接続面５１１は右側面視逆Ｔ字型であり、その下部に位置する左右方向に延びる部分を、分離接続面１５に設けられた略矩形状の溝部１５Ａに嵌め込まれることによって、凸部１６と凹部１７の間を広く占めるように設けられている。他方、第二保持部７３０の分離接続面３５にも、上記実施形態と同様に、凸部３６と凹部３７が設けられている。その凸部３６と凹部３７に挟まれる中間位置には、導通プレート６０の接続面６１１が設けられている。接続面６１１は左側面視逆Ｔ字型であり、その下部に位置する左右方向に延びる部分を、分離接続面３５に設けられた略矩形状の溝部３５Ａに嵌め込まれることによって、凸部３６と凹部３７の間を広く占めるように設けられている。接続面５１１と６１１は互いに対応する形状である。
【０１０８】
第一保持部７２０と第二保持部７３０を互いに接続した場合、分離接続面１５と３５において、接続面５１１と６１１は互いに接触する。接続面５１１と６１１は、上記実施形態の接続面５１と６１に比べて、接触面積が広いので確実に導通を図ることができる。また、第一保持部７２０と第二保持部７３０は、分離接続面１５，３５において互いに接続するので、そのような分離接続面１５，３５に沿って接続面５１１，６１１を設けることで、接続面５１１，６１１を確実に接触させることができる。
【０１０９】
図２８を参照し、第八変形例を説明する。第八変形例であるエレクトロタップ８００は、第七変形例と同様に、上記実施形態の第一保持部２と第二保持部３の分離接続面１５，３５において互いに接触して導通する接続面５１，６１の形状を変形したものである。エレクトロタップ８００は、第一保持部８２０と、第二保持部８３０とに分離接続可能である。第一保持部８２０の分離接続面１５には、上記実施形態と同様に、凸部１６と凹部１７が設けられている。第二保持部８３０の分離接続面３５には、上記実施形態と同様に、凸部３６と凹部３７が設けられている。
【０１１０】
第一保持部８２０の外側上面部１２には、４つの挿入溝１５Ｂ〜１５Ｅが前方から後方に無向かって互いに所定の間隔を空けて設けられている。挿入溝１５Ｂ〜１５Ｅは、断面矩形状に形成され、分離接続面１５と溝１１との間を貫通して設けられている。第一保持部８２０に設けられた導通プレート５１０は、上記実施形態の導通プレート５０の形状に加え、その前後方向の両面に、導電性を有する横方向部５２０，５３０を備える。横方向部５２０は、導通プレート５０の前面の上下方向略中段位置から前方に略水平に延び、溝１１の内面における右側部に沿って設けられている。横方向部５２０の右側面には、右方に突出する二つの突出部５４１が所定の間隔を空けて設けられている。これら二つの突出部５４１は、外側上面部１２に設けられた前側二つの挿入溝１５Ｂ，１５Ｃに対して挿入され、それらの先端面５４２は分離接続面１５において露出している。
【０１１１】
横方向部５３０は、導通プレート５０の後面の上下方向略中段位置から後方に略水平に延び、溝１１の内面における右側部に沿って設けられている。横方向部５３０の右側面にも、右方に突出する二つの突出部５４１が所定の間隔を空けて設けられている。これら二つの突出部５４１は、外側上面部１２に設けられた後ろ側二つの挿入溝１５Ｄ，１５Ｅに対して挿入され、それらの先端面５４２は分離接続面１５において露出している。
【０１１２】
他方、第二保持部８３０の外側上面部３２にも、４つの挿入溝３５Ｂ〜３５Ｅが互いに所定の間隔を空けて設けられている。挿入溝３５Ｂ〜３５Ｅも、断面矩形状に形成され、分離接続面３５と溝３１との間を貫通して設けられている。第二保持部８３０に設けられた導通プレート６１０は、上記実施形態の導通プレート６０の形状に加え、その前後方向の両面に、導電性を有する横方向部６２０，６３０を備える。横方向部６２０は、導通プレート６０の前面の上下方向略中段位置から前方に略水平に延び、溝３１の内面における左側部に沿って設けられている。横方向部６２０の左側面には、左方に突出する二つの突出部６４１が所定の間隔を空けて設けられている。これら二つの突出部６４１は、外側上面部３２に設けられた前側二つの挿入溝３５Ｂ，３５Ｃに対して挿入され、それらの先端面６４２は分離接続面３５において露出している。
【０１１３】
横方向部６３０は、導通プレート６０の後面の上下方向略中段位置から後方に略水平に延び、溝３１の内面における左側部に沿って設けられている。横方向部６３０の左側面にも、左方に突出する二つの突出部６４１が所定の間隔を空けて設けられている。これら二つの突出部６４１は、外側上面部３２に設けられた後ろ側二つの挿入溝３５Ｄ，３５Ｅに対して挿入され、それらの先端面６４２は分離接続面３５において露出している。
【０１１４】
そして、第一保持部８２０と第二保持部８３０を互いに接続した場合、分離接続面１５と３５において、分離接続面１５において露出する４つの先端面５４２は、分離接続面３５において露出する４つの先端面６４２と接触する。分離接続面１５，３５において、凸部１６と凹部３７が係合する部分と、凹部１７と凸部３６が係合する部分とは、分離接続面１５，３５が互いに確実に接触する部分である。それらの各間の領域において、先端面５４２と６４２が接触するようになっているので、導通プレート５１０と６１０を確実に導通させることができる。また、導通プレート５１０と６１０を互いに接触させて導通させる先端面５４２，６４２を夫々４つずつ設けているので、何れかの位置がずれて接触しなかったとしても、その他の位置で先端面５４２と６４２が接触することで、確実に導通させることができる。なお、突出部５４１，６４１の数、形状等は、図２８に示す数、形状等に限定されず、第一保持部８２０と第二保持部８３０を接続した場合に、それらが互いに接触して導通を図ることができればよい。
【０１１５】
なお、上記実施形態は、上記第一〜八変形例の他に、さらに種々の変更が可能である。例えば、本実施形態のエレクトロタップ１は、二本の配線を保持して導通を図るものであるが、二本に限らず、複数の配線を接続できるものにも適用可能である。
【０１１６】
また、上記実施形態のエレクトロタップ１は、第一保持部２と第二保持部３を左右方向に接続するものであるが、例えば、それらの外側に、他の配線を同様に保持する保持部を同方向に分離接続可能とし、その保持部内に設けられた導通プレートを、第一保持部２内に設けられた導通プレート５０、又は第二保持部３内に設けられた導通プレート６０と接触させて導通を図るようにしてもよい。
【０１１７】
また、上記実施形態において、第一保持部２と第二保持部３が相互に接続された状態では、導通プレート５０の接続面５１と導通プレート６０の接続面６１とが直接接触しているが、例えば、他の導電性部材を介して接触するようにしてもよい。例えば、分離接続面１５において、導通プレート５０の接続面５１と接触する他の導電性部材を設け、分離接続面３５において、導通プレート６０の接続面６１と接触する他の導電性部材を設け、それらを互いに接触させるようにしてもよい。
【０１１８】
また、第一保持部２の分離接続面１５に設けられる凸部１６と凹部１７、及び第二保持部３の分離接続面３５に設けられる凸部３６と凹部３７の形状は、それらが互いに係合できる形状であれば、上記実施形態の及び上記変形例の様なレゴブロックや、フック形状の他に、例えばコネクタ形状であってもよい。また、凸部１６と凹部１７、及び凸部３６と凹部３７の数についても上記実施形態に限らず、増やしても減らしてもよい。
【０１１９】
また、上記実施形態のエレクトロタップ１は、例えば、第一保持部２に設けられた導通プレート５０の溝部５２に対し、配線を挿入して押しつけることで配線の被覆を破り、被覆内の導線と接触させるものであるが、例えば、導通プレートに突起状のものを設け、第一保持部２を閉じるときの力を利用して、突起を被覆内に貫通させて導線と接触させるようにしてもよい。
【０１２０】
また、上記実施形態のエレクトロタップ１に取り付ける保護カバー７０の形状は、図９に示す形状に限らず、第一保持部２と第二保持部３とを内側に保持できる形状であれば何でもよい。例えば、第一保持部２と第二保持部３を内側に挟み込むクリップ形状であってもよい。また、保護カバー７０の形状を筒状にしてもよい。さらに、保護カバー７０の係止部７４，７５を省略して断面Ｕ字型にしてもよい。
【０１２１】
また、上記実施形態の第一保持部２の第一蓋部６の溝２１に設けられた突起部２６は省略してもよい。突起部２６の形状についても円形状に限らず、突出する形状であれば何でもよいが、突起部２６を乗り越えて配線を配置することもあるので、端面は滑らかな形状であるのが好ましい。
【０１２２】
また、上記実施形態のエレクトロタップ１では、導通プレート５０，６０は、互いに平行に延びる配線Ａ１及び配線Ｃ１に対して直交するように配置されているが、交差するように設ければ直交していなくてもてもよい。
【０１２３】
また、上記実施形態のエレクトロタップ１では、第一保持部２と第二保持部３の接続部分には、凸部１６と凹部３７、凹部１７と凸部３６が夫々互いに挿入固定されるものであるが、保護カバー７０を取り付けるものであれば、少なくとも夫々が挿入して位置決めされればよいので、固定されなくてもよい。
【０１２４】
また、上記実施形態のエレクトロタップ１では、第一保持部２の第一蓋部６に設けられた溝２１の内面に、突起部２６を設けているが、第一ベース部５に設けられた溝１１の内面に設けてもよい。また、第二保持部３の第二蓋部８の係止壁部４９の代わりに、突起部を設けてもよい。第二ベース部７に設けられた溝３１の内面に設けてもよい。また、第一保持部２と第二保持部３を分離可能とせずに一体化したものであっても、上記実施形態のような突起部２６を備えることによって、配線が外側にはみ出してショートするのを防止できる。
【符号の説明】
【０１２５】
１          エレクトロタップ
２          第一保持部
３          第二保持部
５          第一ベース部
６          第一蓋部
７          第二ベース部
８          第二蓋部
１１          溝
１５          分離接続面
１６          凸部
１７          凹部
２１          溝
３１          溝
３５          分離接続面
３６          凸部
３７          凹部
４１          溝
５０          導通プレート
５１          接続面
５２          溝部
６０          導通プレート
６１          接続面
６２          溝部
７０          保護カバー
４００          ホルダ
５００          電装部品
Ａ１，Ｃ１    配線
【図１】
2020095964.tif 000003
【図２】
2020095964.tif 000004
【図３】
2020095964.tif 000005
【図４】
2020095964.tif 000006
【図５】
2020095964.tif 000007
【図６】
2020095964.tif 000008
【図７】
2020095964.tif 000009
【図８】
2020095964.tif 000010
【図９】
2020095964.tif 000011
【図１０】
2020095964.tif 000012
【図１１】
2020095964.tif 000013
【図１２】
2020095964.tif 000014
【図１３】
2020095964.tif 000015
【図１４】
2020095964.tif 000016
【図１５】
2020095964.tif 000017
【図１６】
2020095964.tif 000018
【図１７】
2020095964.tif 000019
【図１８】
2020095964.tif 000020
【図１９】
2020095964.tif 000021
【図２０】
2020095964.tif 000022
【図２１】
2020095964.tif 000023
【図２２】
2020095964.tif 000024
【図２３】
2020095964.tif 000025
【図２４】
2020095964.tif 000026
【図２５】
2020095964.tif 000027
【図２６】
2020095964.tif 000028
【図２７】
2020095964.tif 000029
【図２８】
2020095964.tif 000030
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
ベースと、
前記ベースから第１の方向に延び、前記第１の方向に交差する第２の方向に沿って間隔を空けて設けられた一対の第１の連結部と、
前記第１の連結部よりも前記第１の方向側に設けられ、前記一対の第１の連結部を連結し、かつ第１の配線が挿入される第１の溝が形成された第１の蓋部と、
前記ベースから前記第１の方向とは反対の第３の方向に延び、前記第２の方向において間隔を空けて設けられた一対の第２の連結部と、
前記第２の連結部よりも前記第３の方向側に設けられ、前記一対の第２の連結部を連結し、かつ第２の配線が挿入される第２の溝が形成された第２の蓋部と、
を有し、
前記一対の第１の連結部は、前記第１の蓋部が前記ベースの一部を覆うように折り曲げ可能であり、
前記一対の第２の連結部は、前記第２の蓋部が前記ベースの他の一部を覆うように折り曲げ可能であり、
前記一対の第１の連結部および前記一対の第２の連結部が折り曲げられた状態のときに、挿入された前記第１の配線と前記第２の配線とを電気的に接続する導電性を有する部材を有する
配線接続部材。
【請求項２】
前記ベースには、
前記一対の第１の連結部が折り曲げられた状態のときに前記第１の配線が挿入される第３の溝と、
前記一対の第２の連結部が折り曲げられた状態のときに前記第２の配線が挿入される第４の溝と、
が形成され、
前記導電性を有する部材は、前記第３の溝と前記第４の溝との間に設けられる、
請求項１に記載の配線接続部材。
【請求項３】
前記ベースは、
前記一対の第１の連結部が設けられる側の第１のベース部と、前記一対の第２の連結部が設けられる側の第２のベース部とに分離可能である、
請求項１または２に記載の配線接続部材。
【請求項４】
前記第１のベース部と前記第２のベース部との少なくとも一方に凸部が形成され、他方に凹部が少なくとも形成され、
前記凸部が前記凹部に着脱可能である、
請求項３に記載の配線接続部材。
【請求項５】
前記第１のベース部と前記第２のベース部との少なくとも一方に第１のフック部または第１のコネクタが形成され、他方に前記第１のフック部に係合可能なフック形状の第２のフック部またはまたは前記第１のコネクタに着脱可能な第２のコネクタが少なくとも形成される、
請求項３に記載の配線接続部材。
【請求項６】
ベースと、
前記ベースから第１の方向に延びる第１の連結部と、
前記第１の連結部よりも前記第１の方向側に設けられ、第１の配線が挿入される第１の溝が形成された第１の蓋部と、
前記ベースから前記第１の方向とは反対の第３の方向に延びる第２の連結部と、
前記第２の連結部よりも前記第３の方向側に設けられ、第２の配線が挿入される第２の溝が形成された第２の蓋部と、
を有し、
前記第１の連結部は、前記第１の蓋部が前記ベースの一部を覆うように折り曲げ可能であり、
前記第２の連結部は、前記第２の蓋部が前記ベースの他の一部を覆うように折り曲げ可能であり、
前記第１の連結部および前記第２の連結部が折り曲げられた状態のときに、挿入された前記第１の配線と前記第２の配線とを電気的に接続する導電性を有する部材を有する
配線接続部材。
【請求項７】
請求項１から６のいずれかに１項に記載の配線接続部材の前記第１の溝と前記第２の溝との間の部位に接続可能な電装部品であって、ダイオードまたはヒューズを備えた電装部品。
【請求項８】
請求項１から６のいずれかに１項に記載の配線接続部材の前記第１の溝と前記第２の溝との間の部位に接続可能なホルダであって、ダイオードまたはヒューズが着脱可能に装着されるホルダ。